(57)【要約】      （修正有）【課題】遊技者に情報伝達可能とする際に、複数種類の数字や記号等の組み合わせ（いわゆる出目）で表現する場合において、出目を生成するための処理を簡素化した遊技機を提供する。【解決手段】所定の遊技開始条件を充足した場合に決定された遊技内容に基づき、単位変動を複数回繰り返して実行することが予定されている場合には、当該予定されている複数回の単位変動における夫々の単位変動の実行時にて仮停止表示すべき識別情報の組み合わせのすべてを予め決定するよう構成されていると共に、仮停止表示すべき識別情報の組み合わせのすべてを予め決定するに際しては、所定の遊技開始条件を充足した場合に決定された遊技内容に基づき、ある回の単位変動における一又は複数の識別情報に係る仮停止表示内容を決定した後、当該決定した識別情報以外に係る仮停止表示内容については、当該決定した仮停止表示内容に基づき一義的に決定される。【選択図】図１９
2014147568.tif 000002
【特許請求の範囲】
【請求項１】
遊技球が入球可能な始動口と、
演出用識別情報を表示可能な演出用識別情報表示部と、
遊技の進行を制御する主制御部と、
演出用識別情報の表示制御を司る副制御部と
を備え、
主制御部は、
始動口への遊技球の入球に基づき、遊技内容を決定する乱数を取得する乱数取得手段と、
前記乱数に基づき遊技内容を決定し、当該決定した遊技内容に従い遊技を進行する遊技進行制御手段と、
遊技進行制御手段が決定した遊技内容に係る情報を、副制御部側へ送信する情報送信制御手段と
を備え、
副制御部は、
主制御部側から送信された前記遊技内容に係る情報を受信したことを契機として、演出用識別情報の表示内容を決定し、その後、所定の確定表示条件を充足した場合には複数の演出用識別情報の組み合わせを確定的に表示する演出用識別情報表示制御手段
を備えており、
前記遊技内容に係る情報を受信した後から前記所定の確定表示条件を充足するまでの期間中において、前記複数の一部又はすべての演出用識別情報に係る変動表示と仮停止表示とを一セットとする単位変動を複数回繰り返して実行し得るよう構成されており、
前記単位変動を複数回繰り返して実行することが予定されている場合には、当該予定されている複数回の単位変動における夫々の単位変動の実行時にて仮停止表示すべき演出用識別情報すべてを予め決定するよう構成されていると共に、
前記仮停止表示すべき演出用識別情報すべてを予め決定するに際しては、ある回の単位変動における一又は複数の演出用識別情報に係る仮停止表示内容を決定した後、当該決定した演出用識別情報以外に係る仮停止表示内容については、当該決定した仮停止表示内容に基づき一義的に決定され得るよう構成されている
ことを特徴とするぱちんこ遊技機。
【発明の詳細な説明】
【技術分野】
【０００１】
ぱちんこ遊技機に関する。
【背景技術】
【０００２】
現在最も普及しているぱちんこ遊技機は、始動口（スタートチャッカー）に遊技球が入球したことを契機として、７セグ等の表示部上で「特別図柄」（或いは主遊技図柄）と称される図柄が変動表示され、当該特別図柄が特定態様（例えば「７」）となった場合、通常遊技状態よりも遊技者にとって利益状態の高い特別遊技状態｛通常時は閉状態にある大入賞口（いわゆるアタッカー）が所定条件で開放する内容の遊技｝に移行するタイプの機種（いわゆる「第一種ぱちんこ遊技機」）である。ここで、遊技者の利益に直結する特別図柄の表示制御の負担を軽減するために、前記の「特別図柄」とは別に、遊技の興趣性を高めるための演出用の「装飾図柄」と称される図柄が、前記特別図柄の変動とシンクロした形で、前記表示部よりもサイズが大きい液晶等のディスプレー上で変動表示される。そして、特別図柄の変動が開始されると装飾図柄もこれに合わせて変動を開始し、特別図柄が特定態様（例えば「７」）で停止した場合、装飾図柄もこれに合わせて所定態様（例えば「７７７」）で停止することとなる。そして、遊技者は、装飾図柄が所定態様で停止したことにより、特別遊技へ移行が確定したことを認識する。
【０００３】
ここで、当該仕組みはこの種のぱちんこ遊技機で共通するので、他種との差別化を図るためには、前記図柄の変動態様を含めた演出全般に対し、いかに工夫を凝らし高い興趣性を付与するかということに注力されている。例えば、特別図柄や装飾図柄（以下、識別情報）によって遊技者に情報伝達可能とする際に、複数種類の数字や記号等の組み合わせで表現するものが多く｛例えば、「７７７」等のゾロ目であれば大当り発生、「１５２」等のバラケ目であればハズレ発生、「１↓１」（↓は変動表示中の意）等のテンパイ目であれば大当りへのリーチ発生｝、当該組み合わせ（いわゆる出目）に趣向を凝らすことで遊技の興趣性を向上させる手法がその一つである。また、識別情報の出目を一旦は停止表示させるものの、再度識別情報を変動表示させ、当該出目とは異なる出目を停止表示させることで遊技の興趣性を向上させているものもある。
【先行技術文献】
【特許文献】
【０００４】
【特許文献１】特開２００９−２５４６０４号公報
【特許文献２】特開２０００−３２５６０９号公報
【特許文献３】特開２００４−６５９５１号公報
【特許文献４】特開２００７−１０５２８４号公報
【発明の概要】
【発明が解決しようとする課題】
【０００５】
このような手法は従来から多用されているものの、近年では、識別情報の出目のバリエーションを増加させるために、識別情報の出目を生成するための処理が複雑化しており、その実装・テストにおいて多大な開発コストを要しているという課題が存在する。
【課題を解決するための手段】
【０００６】
本態様に係るぱちんこ遊技機は、
遊技球が入球可能な始動口（例えば、第１主遊技始動口１１０や第２主遊技始動口２１０）と、
演出用識別情報を表示可能な演出用識別情報表示部（例えば、演出表示装置２５５０）と、
遊技の進行を制御する主制御部（例えば、主制御基板Ａ）と、
演出用識別情報の表示制御を司る副制御部（例えば、副制御基板Ｂ）と
を備え、
主制御部（例えば、主制御基板Ａ）は、
始動口（例えば、第１主遊技始動口１１０や第２主遊技始動口２１０）への遊技球の入球に基づき、遊技内容を決定する乱数を取得する乱数取得手段（例えば、乱数取得判定実行手段１０２０）と、
前記乱数に基づき遊技内容を決定し、当該決定した遊技内容に従い遊技を進行する遊技進行制御手段（例えば、遊技内容決定手段１１００や表示制御手段１２００）と、
遊技進行制御手段（例えば、遊技内容決定手段１１００や表示制御手段１２００）が決定した遊技内容に係る情報を、副制御部（例えば、副制御基板Ｂ）側へ送信する情報送信制御手段（例えば、情報送信制御手段１３００）と
を備え、
副制御部（例えば、副制御基板Ｂ）は、
主制御部（例えば、主制御基板Ａ）側から送信された前記遊技内容に係る情報を受信したことを契機として、演出用識別情報の表示内容を決定し、その後、所定の確定表示条件を充足した場合には、複数の演出用識別情報の組み合わせを演出用識別情報表示部（例えば、演出表示装置２５５０）で確定的に表示する演出用識別情報表示制御手段（例えば、装飾図柄表示制御手段２２１０）
を備えており、
前記遊技内容に係る情報を受信した後から前記所定の確定表示条件を充足するまでの期間中において、前記複数の一部又はすべての演出用識別情報に係る変動表示と仮停止表示とを一セットとする単位変動を複数回繰り返して実行し得るよう構成されており、
前記単位変動を複数回繰り返して実行することが予定されている場合には、当該予定されている複数回の単位変動における夫々の単位変動の実行時にて仮停止表示すべき演出用識別情報すべてを予め決定するよう構成されていると共に、
前記仮停止表示すべき演出用識別情報すべてを予め決定するに際しては、ある回の単位変動における一又は複数の演出用識別情報に係る仮停止表示内容を決定した後、当該決定した演出用識別情報以外に係る仮停止表示内容については、当該決定した仮停止表示内容に基づき一義的に決定され得るよう構成されている
ことを特徴とするぱちんこ遊技機である。
【発明の効果】
【０００７】
本態様に係るぱちんこ遊技機によれば、識別情報の出目を生成するための処理を簡素化することができるという効果を奏する。
【図面の簡単な説明】
【０００８】
【図１】図１は、本実施形態に係るぱちんこ遊技機の正面図である。
【図２】図２は、本実施形態に係るぱちんこ遊技機の背面図である。
【図３】図３は、本実施形態に係るぱちんこ遊技機の電気的全体構成図である。
【図４】図４は、本実施形態に係るぱちんこ遊技機の機能ブロック図である。
【図５】図５は、本実施形態に係るぱちんこ遊技機における、主制御装置側でのメインフローチャートである。
【図６】図６は、本実施形態に係るぱちんこ遊技機における、主制御装置側での補助遊技内容決定乱数取得処理のフローチャートである。
【図７】図７は、本実施形態に係るぱちんこ遊技機における、主制御装置側での電動役物駆動判定処理のフローチャートである。
【図８】図８は、本実施形態に係るぱちんこ遊技機における、主制御装置側での主遊技内容決定乱数取得処理のフローチャートである。
【図９】図９は、本実施形態に係るぱちんこ遊技機における、主制御装置側での主遊技図柄表示処理のフローチャートである。
【図１０】図１０は、本実施形態に係るぱちんこ遊技機における、主制御装置側での第１（第２）主遊技図柄表示処理のフローチャートである。
【図１１】図１１は、本実施形態に係るぱちんこ遊技機における、主制御装置側での第１（第２）主遊技図柄表示処理にて用いられるテーブル構成図である。
【図１２】図１２は、本実施形態に係るぱちんこ遊技機における、主制御装置側での特定遊技終了判定処理のフローチャートである。
【図１３】図１３は、本実施形態に係るぱちんこ遊技機における、主制御装置側での特別遊技作動条件判定処理のフローチャートである。
【図１４】図１４は、本実施形態に係るぱちんこ遊技機における、主制御装置側での特別遊技制御処理のフローチャートである。
【図１５】図１５は、本実施形態に係るぱちんこ遊技機における、主制御装置側での特別遊技終了後の遊技状態決定処理のフローチャートである。
【図１６】図１６は、本実施形態に係るぱちんこ遊技機における、サブメイン制御部側でのメインフローチャートである。
【図１７】図１７は、本実施形態に係るぱちんこ遊技機における、サブメイン制御部側での保留情報管理処理のフローチャートである。
【図１８】図１８は、本実施形態に係るぱちんこ遊技機における、サブメイン制御部側での装飾図柄表示内容決定処理のフローチャートである。
【図１９】図１９は、本実施形態に係るぱちんこ遊技機における、サブメイン制御部側でのリーチ演出中表示図柄決定処理のフローチャートである。
【図２０】図２０は、本実施形態に係るぱちんこ遊技機における、サブメイン制御部側での装飾図柄表示制御処理のフローチャートである。
【図２１】図２１は、本実施形態に係るぱちんこ遊技機における、サブメイン制御部側での特別遊技関連表示制御処理のフローチャートである。
【図２２】図２２は、本実施形態の変更例１に係るぱちんこ遊技機における、サブメイン制御部側での装飾図柄表示内容決定処理である。
【図２３】図２３は、本実施形態の変更例１に係るぱちんこ遊技機における、サブメイン制御部側での装飾図柄表示内容決定処理にて用いられるテーブル構成図である。
【図２４】図２４は、本実施形態の変更例１に係るぱちんこ遊技機における、サブメイン制御部側でのリーチ演出中表示図柄決定処理である。
【実施するための形態】
【０００９】
はじめに、本明細書における各用語の意義について説明する。「識別情報」とは、視覚的に認識可能なものであれば特に限定されず、例えば、数字、文字、図柄等（或いは、これらの組み合わせ）を挙げることができる｛例えば、後述する主遊技図柄（いわゆる特別図柄）、補助遊技図柄（普通図柄）、装飾図柄等が該当する｝。「入球」とは、賞球が払い出される入賞のみならず、賞球払い出しの無い「スルーチャッカー」への通過も含む。「開状態、開放状態」及び「閉状態、閉鎖状態」とは、例えば、一般的な大入賞口（所謂、アタッカー）の構成においては、開状態＝入賞容易状態であり、閉状態＝入賞非容易状態となる。また、例えば、遊技盤（遊技者側）から突き出した状態（以下、進出状態と呼ぶことがある）と遊技盤内（遊技者側と反対側）に引っ込んだ状態（以下、退避状態と呼ぶことがある）とを採り得る構成（所謂、ベロ型アタッカー）においては、進出状態＝入賞容易状態であり、退避状態＝入賞非容易状態となる。「乱数」とは、ぱちんこ遊技機において何らかの遊技内容を決定するための抽選（電子計算機によるくじ）に使用される乱数であり、狭義の乱数の他に擬似乱数も含む（例えば、乱数としてはハード乱数、擬似乱数としてはソフト乱数）。例えば、遊技の結果に影響を与えるいわゆる「基本乱数」、具体的には、特別遊技の移行と関連した「当選乱数（当否抽選用乱数）」、識別図柄の変動態様（又は変動時間）を決定するための「変動態様決定乱数」、停止図柄を決定する「図柄決定乱数」、特別遊技後に特定遊技（例えば確率変動遊技）に移行するか否かを決定する「当り図柄決定乱数」等を挙げることができる。尚、変動態様の内容や確定識別情報の内容等を決定する際、これらすべての乱数を使用する必要はなく、互いに同一又は相違する、少なくとも一つの乱数を使用すればよい。また、本明細書では、乱数の数とか複数個の乱数、といった形で乱数を個数表示していることがあるが、乱数取得の契機となる入球口（例えば始動入球口）の一回の入球により取得された乱数を一個と称している（即ち、前記の例だと、当選乱数＋変動態様決定乱数＋図柄決定乱数・・・という乱数の束を一個の乱数と称している）。また、例えば、一種の乱数（例えば当選乱数）が、別種の乱数（例えば図柄決定乱数）を兼ねていてもよい。「遊技状態」とは、例えば、大入賞口が開放状態となり得る特別遊技状態、特別遊技状態への移行抽選確率が予め定められた値である非確率変動遊技状態よりも特別遊技状態への移行抽選確率が高い確率変動遊技状態、特別遊技への移行抽選契機となる始動口への入賞に対する補助が有る補助遊技状態（いわゆる、普通図柄時短状態、例えば、始動口に可変部材が取り付けられている場合では、可変部材の開放期間が長い、可変部材の開放当選確率が高い、可変部材の開放抽選の結果報知の時間が短い）、等の任意の一又は複数の組合せである。
【００１０】
以下の実施形態は、従来の第１種ぱちんこ遊技機を二つ混在させたような機種（第１種第１種複合機）である。但し、これには何ら限定されず、他の遊技機（例えば、従来の第１種、第２種、第３種、一般電役等のぱちんこ遊技機やスロットマシン等）に応用された場合も範囲内である。尚、本実施形態は、あくまで一例であり、各手段が存在する場所や機能等、各種処理に関しての各ステップの順序、フラグのオン・オフのタイミング、各ステップの処理を担う手段名等に関し、以下の態様に限定されるものではない。また、上記した実施形態や変更例は、特定のものに対して適用されると限定的に解すべきでなく、どのような組み合わせであってもよい。例えば、ある実施形態についての変更例は、別の実施形態の変更例であると理解すべきであり、また、ある変更例と別の変更例が独立して記載されていたとしても、当該ある変更例と当該別の変更例を組み合わせたものも記載されていると理解すべきである。また、本実施形態では、各種テーブルに関し、抽選テーブルと参照テーブルとが存在するが、これらも限定的ではなく、抽選テーブルを参照テーブルとしたり或いはこの逆としてもよい。更に、以下の実施形態や変更例において示す具体的一例としての数値｛例えば、抽選実行時における当選確率、特別遊技時における最大ラウンド数、図柄変動時間、各遊技状態における継続回数、等｝は、あくまで一例であり、特に、異なる条件下（例えば、第１主遊技側と第２主遊技側との条件別、確率変動遊技時と非確率変動遊技時との条件別、時間短縮遊技時と非時間短縮遊技時との条件別、等）において示した数値の大小関係や組み合わせは、以下の実施形態や変更例の趣旨を大きく逸脱しない限りにおいては、適宜変更してもよいものであると理解すべきである。例えば、第１主遊技側と第２主遊技側とで、抽選実行時における当選確率や特別遊技時における最大ラウンド数の期待値における大小関係が、第１主遊技側＝第２主遊技側となるよう例示されていたとしても、当該大小関係を第１主遊技側＜第２主遊技側とする、或いは、第１主遊技側＞第２主遊技側とするといったように適宜変更してもよい（その他の数値、条件下についても同様）。また、例えば、確率変動遊技状態の継続回数として、次回大当りが発生するまで継続するとの趣旨に基づき構成するに際し、継続回数として「６５５３５」をセットするのか（実質的に継続するよう構成する）、或いは、継続回数をセットせずに次回大当りが発生するまで確率変動遊技状態を維持する、といった同一趣旨に基づく実現方法の選択肢においても、以下の実施形態や変更例の趣旨を大きく逸脱しない限りにおいては、適宜変更してもよいものであると理解すべきである。
【００１１】
ここで、各構成要素について説明する前に、本実施形態に係るぱちんこ遊技機の特徴（概略）を説明する。以下、図面を参照しながら、各要素について詳述する。
【００１２】
まず、図１を参照しながら、本実施形態に係るぱちんこ遊技機の前面側の基本構造を説明する。ぱちんこ遊技機は、主に遊技機枠と遊技盤で構成される。以下、これらを順に説明する。
【００１３】
はじめに、ぱちんこ遊技機の遊技機枠は、外枠１２、前枠１４、透明板１６、扉１８、上球皿２０、下球皿２２及び発射ハンドル４４を含む。まず、外枠１２は、ぱちんこ遊技機を設置すべき位置に固定するための枠体である。前枠１４は、外枠１２の開口部分に整合する枠体であり、図示しないヒンジ機構を介して外枠１２に開閉可能に取り付けられる。前枠１４は、遊技球を発射する機構、遊技盤を着脱可能に収容させるための機構、遊技球を誘導又は回収するための機構等を含む。透明板１６は、ガラス等により形成され、扉１８により支持される。扉１８は、図示しないヒンジ機構を介して前枠１４に開閉可能に取り付けられる。上球皿２０は、遊技球の貯留、発射レールへの遊技球の送り出し、下球皿２２への遊技球の抜き取り等の機構を有する。下球皿２２は、遊技球の貯留、抜き取り等の機構を有する。また、上球皿２０と下球皿２２の間にはスピーカ２４が設けられており、遊技状態等に応じた効果音が出力される。
【００１４】
次に、遊技盤は、外レール３２と内レール３４とにより区画された遊技領域３０が形成されている。そして、当該遊技領域３０には、図示しない複数の遊技釘及び風車等の機構や各種一般入賞口の他、第１主遊技始動口１１０、第２主遊技始動口２１０、補助遊技始動口４１０、第１大入賞口３１０、第２大入賞口３２０、第１主遊技図柄表示装置１２０、第２主遊技図柄表示装置２２０、演出表示装置２５００、補助遊技図柄表示装置４２０、センター飾り３８及びアウト口３６が設置されている。以下、各要素を順番に詳述する。
【００１５】
次に、第１主遊技始動口１１０は、第１主遊技に対応する始動入賞口として設置されている。具体的構成としては、第１主遊技始動口１１０は、第１主遊技始動口入球検出装置１１１を備える。ここで、第１主遊技始動口入球検出装置１１１は、第１主遊技始動口１１０への遊技球の入球を検出するセンサであり、入球時にその入球を示す第１主遊技始動口入球情報を生成する。
【００１６】
次に、第２主遊技始動口２１０は、第２主遊技に対応する始動入賞口として設置されている。具体的構成としては、第２主遊技始動口２１０は、第２主遊技始動口入球検出装置２１１と、第２主遊技始動口電動役物２１２と、を備える。ここで、第２主遊技始動口入球検出装置２１１は、第２主遊技始動口２１０への遊技球の入球を検出するセンサであり、入球時にその入球を示す第２主遊技始動口入球情報を生成する。次に、第２主遊技始動口電動役物２１２は、第２主遊技始動口２１０に遊技球が入賞し難い閉鎖状態と当該通常状態よりも遊技球が入賞し易い開放状態に可変する。
【００１７】
ここで、本実施形態においては、第１主遊技始動口１１０と第２主遊技始動口２１０とが上下に重なるよう配置されており、第１主遊技始動口１１０の存在により、第２主遊技始動口２１０の上部が塞がれているよう構成されている（第２主遊技始動口電動役物２１２が開放状態にならない限り、第２主遊技始動口２１０に入球不能となるよう構成されている）。しかしながら、これには限定されず、第１主遊技始動口１１０と第２主遊技始動口２１０とを離隔して設けておき、遊技領域３０の左側（遊技領域中央を基準）を流下する遊技球が、第１主遊技始動口１１０に誘導され易い一方、第２主遊技始動口２１０に誘導され難いよう構成すると共に、遊技領域３０の右側（遊技領域中央を基準）を流下する遊技球は、第１主遊技始動口１１０に誘導され難い一方、第２主遊技始動口２１０に誘導され易いよう構成してもよく、その場合には、第２主遊技始動口電動役物２１２が開放状態にならない限り、第２主遊技始動口２１０に入球不能となるよう第２主遊技始動口２１０の直上に障害となる部材を設けるよう構成してもよい。尚、「誘導され易い」及び「誘導され難い」は、例えば、遊技球を右側及び左側にそれぞれ１００００球発射した際の、入球数の大小で決定するものとする。尚、本実施形態では、第２主遊技始動口２１０側に電動役物を設けるよう構成したが、これには限定されず、第１主遊技始動口１１０側に電動役物を設けるよう構成してもよい。
【００１８】
次に、補助遊技始動口４１０は、補助遊技始動口入球検出装置４１１を備える。ここで、補助遊技始動口入球検出装置４１１は、補助遊技始動口４１０への遊技球の入球を検出するセンサであり、入球時にその入球を示す補助遊技始動口入球情報を生成する。尚、補助遊技始動口４１０への遊技球の入球は、第２主遊技始動口２１０の第２主遊技始動口電動役物２１２を拡開させるための抽選の契機となる。
【００１９】
ここで、本実施形態においては、遊技領域３０の左側（遊技領域中央を基準）を流下する遊技球が、補助遊技始動口４１０に誘導され易い一方、遊技領域３０の右側（遊技領域中央を基準）を流下する遊技球は、補助遊技始動口４１０に誘導され難いよう構成されている｛但し、これには限定されず、遊技領域３０の右側（遊技領域中央を基準）を流下する遊技球をも、補助遊技始動口４１０に誘導され易いよう構成してもよい（例えば、遊技領域３０の右側に更なる別の補助遊技始動口４１０を設ける等）｝。
【００２０】
次に、アウト口３６の上方には、第１大入賞口３１０と第２大入賞口３２０とが設けられており、遊技領域３０の右側又は左側（遊技領域中央を基準）を流下する遊技球は、アウト口３６に到達する前に、第１大入賞口３１０及び第２大入賞口３２０が配置されている領域を通過し易いよう構成されている。
【００２１】
次に、第１大入賞口３１０は、第１主遊技図柄（特別図柄）又は第２主遊技図柄（特別図柄）が大当り図柄停止した場合に開状態となる、横長方形状を成しアウト口３６の上方に位置した、主遊技に対応した入賞口である。具体的構成としては、第１大入賞口３１０は、遊技球の入球を検出するための第１大入賞口入賞検出装置３１１と、第１大入賞口電動役物３１２（及び第１大入賞口ソレノイド３１２ａ）と、を備える。ここで、第１大入賞口入賞検出装置３１１は、第１大入賞口３１０への遊技球の入球を検出するセンサであり、入球時にその入球を示す第１大入賞口入球情報を生成する。第１大入賞口電動役物３１２は、第１大入賞口３１０に遊技球が入賞不能又は入賞困難な通常状態と遊技球が入賞し易い開放状態に第１大入賞口３１０を可変させる（第１大入賞口ソレノイド３１２ａを励磁して可変させる）。尚、本実施形態では、大入賞口の態様を、横長方形状を成し遊技球が入賞不能又は入賞困難な通常状態と遊技球が入賞し易い開放状態とに可変させる態様としているが、これには限定されない。その場合には、例えば、大入賞口内に設けられた棒状部材が遊技者側に突き出した状態である進出状態と遊技者側に対して引っ込んだ状態である退避状態とを採り得る態様（所謂、ベロ型アタッカー）としてもよく、大入賞口への入球数を所定数（例えば、１０個）とすることを担保したい場合において好適である。
【００２２】
次に、第２大入賞口３２０は、第１主遊技図柄（特別図柄）又は第２主遊技図柄（特別図柄）が大当り図柄で停止した場合に開状態となる、横長方形状を成しアウト口３６の上方に位置した、主遊技に対応した入賞口である。具体的構成としては、第２大入賞口３２０は、遊技球の入球を検出するための第２大入賞口入賞検出装置３２１及び特定領域３２３と、第２大入賞口電動役物３２２（及び第２大入賞口ソレノイド３２２ａ）と、を備える。ここで、第２大入賞口入賞検出装置３２２は、第２大入賞口３２０への遊技球の入球を検出するセンサであり、入球時にその入球を示す第２大入賞口入球情報を生成する。また、特定領域３２３は、第２大入賞口３２０への遊技球の入球を検出するセンサであり、入球時にその入球を示す特定領域入球情報を生成する。そして、第２大入賞口３２０内に入球した遊技球は、第２大入賞口入賞検出装置３２１及び特定領域入球検出装置３２３ａのいずれか一方によって検出されるよう構成されている。次に、第２大入賞口電動役物３２２は、第２大入賞口３２０に遊技球が入賞不能又は入賞困難な通常状態と遊技球が入賞し易い開放状態とに第２大入賞口３２０を可変させる（振分入賞口ソレノイド３２２ａを励磁して可変させる）。尚、本実施形態では、大入賞口の態様を、横長方形状を成し遊技球が入賞不能又は入賞困難な通常状態と遊技球が入賞し易い開放状態とに可変させる態様としているが、これには限定されない。その場合には、例えば、大入賞口内に設けられた棒状部材が遊技者側に突き出した状態である進出状態と遊技者側に対して引っ込んだ状態である退避状態とを採り得る態様（所謂、ベロ型アタッカー）としてもよく、大入賞口への入球数を所定数（例えば、１０個）とすることを担保したい場合において好適である。
【００２３】
次に、第１主遊技図柄表示装置１２０（第２主遊技図柄表示装置２２０）は、第１主遊技（第２主遊技）に対応する第１主遊技図柄（第２主遊技図柄）に関連した表示等を実行する装置である。具体的構成としては、第１主遊技図柄表示装置１２０（第２主遊技図柄表示装置２２０）は、第１主遊技図柄表示部１２１（第２主遊技図柄表示部２２１）と、第１主遊技図柄保留表示部１２２（第２主遊技図柄保留表示部２２２）とを備える。ここで、第１主遊技図柄保留表示部１２２（第２主遊技図柄保留表示部２２２）は、４個のランプから構成され、当該ランプの点灯個数が、第１主遊技（第２主遊技）に係る乱数の保留数（実行されていない主遊技図柄の変動数）に相当する。尚、第１主遊技図柄表示部１２１（第２主遊技図柄表示部２２１）は、例えば７セグメントＬＥＤで構成され、第１主遊技図柄（第２主遊技図柄）は、「０」〜「９」の１０種類の数字及びハズレの「−」で表示される｛但し、これには限定されず、いずれの主遊技図柄が表示されたかのかを遊技者が認識困難となるよう、７セグメントＬＥＤを用いて記号等によって表示することが好適である。また、保留数表示においても、４個のランプから構成されていることには限定されず、最大４個分の保留数を表示可能に構成（例えば、１個のランプから構成されており、保留数１：点灯、保留数２：低速点滅、保留数３：中速点滅、保留数４：高速点滅、するよう構成）されていればよい｝。
【００２４】
尚、第１主遊技図柄（第２主遊技図柄）は必ずしも演出的な役割を持つ必要が無いため、本実施形態では、第１主遊技図柄表示装置１２０（第２主遊技図柄表示装置２２０）の大きさは、目立たない程度に設定されている。しかしながら、第１主遊技図柄（第２主遊技図柄）自体に演出的な役割を持たせて第１装飾図柄（第２装飾図柄）を表示させないような手法を採用する場合には、後述する演出表示装置２５５０のような液晶ディスプレーに、第１主遊技図柄（第２主遊技図柄）を表示させるように構成してもよい。
【００２５】
次に、演出表示装置２５５０は、第１主遊技図柄・第２主遊技図柄と連動して変動・停止する装飾図柄を含む演出画像の表示等を実行する装置である。ここで、具体的構成としては、演出表示装置２５５０は、装飾図柄の変動表示等を含めて演出が実行される表示領域２５５１（図４にて図示）を備える。ここで、表示領域２５５１は、主遊技保留情報を表示する第１保留表示部２５５１ｂ１（及び第２保留表示部２５５１ｂ２）と、例えば、スロットマシンのゲームを模した複数列の装飾図柄変動の動画像を表示する装飾図柄表示領域２５５１と、を有している。尚、演出表示装置２５５０は、本実施形態では液晶ディスプレーで構成されているが、機械式のドラムやＬＥＤ等の他の表示手段で構成されていてもよい。次に、第１保留表示部２５５１ｂ１（及び第２保留表示部２５５１ｂ２）は、４個のランプから構成され、当該ランプは、主遊技図柄の保留ランプと連動している。
【００２６】
次に、補助遊技図柄表示装置４２０は、補助遊技図柄に関する表示等を実行する装置である。具体的構成としては、補助遊技図柄表示装置４２０は、補助遊技図柄表示部４２１と、補助遊技図柄保留表示部４２２とを備える。ここで、補助遊技図柄保留表示部４２２は、４個のランプから構成され、当該ランプの点灯個数が、補助遊技図柄変動の保留数（実行されていない補助遊技図柄変動の数）に相当する。
【００２７】
次に、センター飾り３８は、演出表示装置２５５０の周囲に設置され、遊技球の流路、演出表示装置２５５０の保護、装飾等の機能を有する。また、遊技効果ランプ２６は、遊技領域３０又は遊技領域３０以外の領域に設けられ、点灯・点滅等することで演出の役割を果たす。
【００２８】
次に、図２を参照しながら、ぱちんこ遊技機の背面側における基本構造を説明する。ぱちんこ遊技機は、ぱちんこ遊技機の全体動作を制御し、特に第１主遊技始動口１１０（第２主遊技始動口２１０）へ入球したときの抽選等、遊技動作全般の制御（即ち、遊技者の利益と直接関係する制御）を行う主制御基板Ａ（特に、遊技制御手段１０００）と、遊技内容に興趣性を付与する演出表示装置２５５０上での各種演出に係る表示制御等を行う演出制御手段（サブメイン制御部）２０００と、主に演出表示を実行するサブサブ制御部２５００と、賞球タンク３１００、賞球レール３１１０及び各入賞口への入賞に応じて賞球タンク３１００から供給される遊技球を上球皿２０へ払い出す払出ユニット３２１０等を備える賞球払出装置（セット基盤）３２００と、払出ユニット３２１０による払出動作を制御する賞球払出制御基板３０００と、上球皿２０の遊技球（貯留球）を遊技領域３０へ１球ずつ発射する発射装置４２と、発射装置４２の発射動作を制御する発射制御基板４０と、ぱちんこ遊技機の各部へ電力を供給する電源ユニットＥと、ぱちんこ遊技機の電源をオンオフするスイッチである電源スイッチＥａ等が、前枠１４裏面（遊技側と反対側）に設けられている。
【００２９】
次に、図３のブロック図を参照しながら、本実施形態に係るぱちんこ遊技機の電気的な概略構成を説明する。はじめに、本実施形態に係るぱちんこ遊技機は、前述したように、遊技の進行を制御する主制御基板Ａ（特に、遊技制御手段１０００）と、主制御基板Ａからの情報（信号、コマンド等）に基づいて遊技球の払出を制御する賞球払出制御基板３０００と、主制御基板Ａからの情報（信号、コマンド等）に基づいて装飾図柄の変動・停止等の演出表示装置２５５０上での各種演出、スピーカ２４からの音響、遊技効果ランプ２６の点灯、エラー報知等の実行を制御する副制御基板Ｂ（本例では、サブメイン制御部２０００とサブサブ制御部２５００とが一つの基板上に配置されている）と、これらの制御基板を含む遊技機全体に電源を供給する電源供給ユニットＥと、を主体として構成されている。ここで、副制御基板Ｂは、装飾図柄の変動・停止等の演出表示装置２５５０上での各種演出、スピーカ２４からの音響、遊技効果ランプ２６の点灯、エラー報知を制御するサブメイン制御部２０００と、演出表示装置２５５０上での装飾図柄の変動表示・停止表示及び保留表示や予告表示等の表示処理を実行するサブサブ制御部２５００の２つの制御部とを備えている。尚、主制御基板Ａ（特に、遊技制御手段１０００）、賞球払出制御基板３０００、サブメイン制御部２０００及びサブサブ制御部２５００には、様々な演算処理を行うＣＰＵ、ＣＰＵの演算処理を規定したプログラムを予め記憶するＲＯＭ、ＣＰＵが取り扱うデータ（遊技中に発生する各種データやＲＯＭから読み出されたコンピュータプログラム等）を一時的に記憶するＲＡＭが搭載されている。以下、各基板の概略構成及び各基板・装置間の電気的な接続態様について概説する。
【００３０】
まず、主制御基板Ａは、各種周辺機器（第１主遊技に対応した第１主遊技周辺機器１００、第２主遊技に対応した第２主遊技周辺機器２００、第１主遊技と第２主遊技とで共通する第１・第２主遊技共用周辺機器３００、補助遊技に対応した補助遊技周辺機器４００）、情報表示ＬＥＤ（不図示であるが、例えば、エラー状態を報知するＬＥＤ）等、遊技の進行に必須となる入出力装置と電気的に接続され、各入力装置からの入力信号に基づいて遊技の進行を制御すると共に、遊技の進行状況を各出力装置への出力情報として出力している。更に、主制御基板Ａは、賞球払出制御基板３０００と、副制御基板Ｂ（サブメイン制御部２０００・サブサブ制御部２５００）とも電気的に接続されており、遊技進行に基づいて、賞球払出等に関する情報（コマンド）を賞球払出制御基板３０００に、演出・遊技の進行状態等に関する情報（コマンド）を副制御基板Ｂにそれぞれ送信可能に構成されている。尚、主制御基板Ａは、外部接続端子（不図示）を介してホールコンピュータＨ等と接続可能となっており、外部接続端子を介してホールコンピュータＨと配線接続することで、主制御基板Ａから外部の装置に対して遊技関連情報を出力できるよう構成されている。
【００３１】
また、本実施形態では、図３の矢印表記の通り、主制御基板Ａと賞球払出制御基板３０００とは、双方向通信が可能となるよう構成されている一方、主制御基板Ａとサブメイン制御部２０００とは、主制御基板Ａからサブメイン制御部２０００への一方向通信が可能となるよう構成されている（通信方法は、シリアル通信、パラレル通信のいずれを用いてもよい）。尚、制御基板間（制御装置間）の通信については一方向通信でも双方向通信でもよい。
【００３２】
次に、賞球払出制御基板３０００は、遊技球の払出を実行する賞球払出装置３２００と、遊技者によって操作可能な装置であって遊技球の貸出要求を受付けて賞球払出制御基板３０００に伝達する遊技球貸出装置Ｒとに接続されている。また、図示略するが、本実施形態では、賞球払出制御基板内に、発射装置の制御回路部が併設されており、賞球払出制御基板と発射装置（発射ハンドル・発射モータ・球送り装置等）とも接続されている。尚、本実施形態では、遊技球貸出装置Ｒを別体として遊技機に隣接する形態を採用しているが、遊技機と一体としてもよく、その場合には、賞球払出制御基板３０００により貸出制御及び電子マネー等貸出用の記録媒体の管理制御等を統括して行ってもよい。
【００３３】
次に、副制御基板Ｂは、前述したように装飾図柄等を表示する演出表示装置２５５０と、スピーカ２４と、遊技効果ランプ２６と、その他演出用の駆動装置（不図示であるが、例えば、演出用の駆動役物）と接続されている。本実施形態では、前述の通り、副制御基板Ｂ内にサブメイン制御部２０００とサブサブ制御部２５００とを有しており、サブメイン制御部２０００によりスピーカ２４から出力させる音声の制御、遊技効果（電飾）ランプ２６の点灯制御並びに、演出表示装置上で表示する表示内容の決定制御が行われ、サブサブ制御部２５００により、演出表示装置上の表示制御（実体的な表示制御）が行われるように構成されている。尚、本実施形態では、サブメイン制御部２０００とサブサブ制御部２５００とを、副制御基板Ｂにて一体化されるよう構成されているが、これに限定されるわけではない（別基板として構成してもよいが、一体化するよう構成することでスペースメリットや配線等にノイズが混入してしまう事態を低減できるといったメリットが生ずる）。また、両制御部での作業分担についても、例えばサブサブ制御部２５００により音声制御を実行させる（ＶＤＰに音声制御回路が一体化されたものを採用する場合に好適）等、適宜変更できる。また、賞球として物理的な賞球を付与せずに電子的な価値を付与してもよい。
【００３４】
次に、図４のブロック図を参照しながら、本実施形態に係るぱちんこ遊技機の各種機能について説明する。はじめに、主制御基板Ａは、遊技に係る遊技周辺機器（第１主遊技周辺機器１００、第２主遊技周辺機器２００、第１・第２主遊技共用周辺機器３００、補助遊技周辺機器４００）、演出の表示制御に係るサブメイン制御部２０００（副遊技制御手段２０００）、主制御装置Ａからの払出指示に基づき所定数の賞球の払出制御を行う賞球払出制御基板３０００と、情報伝達可能に接続されている。また、サブメイン制御部２０００（副遊技制御手段２０００）は、画像演出を実行するサブサブ制御部２５００（演出表示手段２５００）、各種遊技効果ランプ２６（例えばサイドランプ）やスピーカ２４等とも電気的に接続されている。更に、賞球払出制御基板３０００は、ステッピングモータやスプロケット等を備えた賞球払出装置３２００と電気的に接続されている。尚、主制御装置Ａ、サブメイン制御部２０００（副遊技制御手段２０００）、サブサブ制御部２５００（演出表示手段２５００）、賞球払出制御基板３０００等は、ハードウエア的にはデータやプログラムを格納するＲＯＭやＲＡＭ、演算処理に用いるＣＰＵ等の素子等から構成される。尚、以下で主制御装置Ａに含まれるとする各手段を周辺機器（例えば、遊技周辺機器）に搭載される形で構成してもよい。例えば、周辺機器（例えば、遊技周辺機器）に含まれるとする各手段を主制御装置Ａに搭載される形で構成してもよい。以下、上記各手段（装置）の詳細を説明する。
【００３５】
まず、主制御装置Ａは、主遊技（第１主遊技、第２主遊技、特別遊技）・補助遊技・一般遊技に関する主たる制御を司る遊技制御手段１０００と、遊技周辺機器側に各種遊技情報｛例えば、停止図柄情報、停止図柄の属性情報｛例えば、１６Ｒ大当り、８Ｒ大当り、４Ｒ大当り、ハズレ｝、変動態様に関する情報（例えば、変動時間）、特別遊技の開始信号・状態情報・終了信号、保留情報等｝を送信するための情報送信制御手段１３００（及び未送信コマンドを蓄積するコマンド送信用バッファ１３０１）と、各種入賞口への遊技球の入賞に基づき所定の賞球の払出を行うように賞球払出制御基板３０００を制御する賞球払出決定手段１４００と、を有している。
【００３６】
ここで、遊技制御手段１０００は、各入球口（始動口等）への遊技球の流入を判定するための入球判定手段１０１０と、各乱数の取得可否を判定し、当該判定結果に基づき当該各乱数を取得するための乱数取得判定実行手段１０２０と、変動表示中における各始動口への入球を保留球として上限個数以内で一時記憶するための保留制御手段１０３０と、後述する第１主遊技側乱数・第２主遊技側乱数・補助遊技側乱数に基づき、当該遊技に係る内容を決定する遊技内容決定手段１１００と、各図柄の変動及び停止表示する制御を行うための表示制御手段１２００と、第２主遊技始動口２１０の第２主遊技始動口電動役物２１２の開閉決定に直接関連する各種処理を行うための第２主遊技始動口電動役物開閉制御手段１２１０と、通常遊技よりも遊技者に有利な特別遊技に関する制御を司る特別遊技制御手段１２２０と、第１主遊技及び第２主遊技並びに補助遊技に関し、現在の遊技状態をどの遊技状態に移行させるかの決定と、当該決定に基づき遊技状態を移行させる処理を行うための特定遊技制御手段１２４０と、現在及び過去の遊技状態［例えば、主遊技に関する状態｛通常遊技状態、特定遊技状態（確率変動遊技状態、時間短縮遊技状態）、特別遊技状態｝、補助遊技に関する状態（易開放状態、非易開放状態）、主遊技図柄や補助遊技図柄に係る停止図柄及び変動態様情報、各種フラグのオンオフ状況、特別遊技中の遊技状態（例えばラウンド数や入賞個数情報）］等を一時記憶するための遊技状態一時記憶手段１２５０と、を有している。以下、各手段について詳述する。
【００３７】
まず、入球判定手段１０１０は、第１主遊技始動口１１０に遊技球が入球したか否かを判定する第１主遊技始動口入球判定手段１０１１と、第２主遊技始動口２１０に遊技球が入球したか否かを判定する第２主遊技始動口入球判定手段１０１２と、補助遊技始動口４１０に遊技球が流入したか否かを判定する補助遊技入球口入球判定手段１０１３と、第１大入賞口３１０に遊技球が入球したか否かを判定する、第１大入賞口入球判定手段１０１４と、第２大入賞口３２０に遊技球が入球したか否かを判定する第２大入賞口入球判定手段１０１５と、を有している。
【００３８】
次に、乱数取得判定実行手段１０２０は、第１主遊技始動口１１０への遊技球の入球に基づき第１主遊技側乱数を取得するか否かを判定すると共に、判定結果に応じて当該乱数（例えば、第１当選乱数、第１変動態様決定乱数、第１主遊技図柄決定乱数等）を取得する第１主遊技乱数取得判定実行手段１０２１と、第２主遊技始動口２１０への遊技球の入球に基づき第２主遊技側乱数を取得するか否かを判定すると共に、判定結果に応じて当該乱数（例えば、第２当選乱数、第２変動態様決定乱数、第２主遊技図柄決定乱数等）を取得する第２主遊技乱数取得判定実行手段１０２２と、補助遊技側選乱数の取得の可否を判定し、当該判定結果に基づき当該乱数を取得するための補助遊技乱数取得判定実行手段１０２３と、を有している。
【００３９】
ここで、上記を含め本特許請求の範囲及び本明細書における「乱数」は、例えば、乱数の種類（例えば、当選乱数や変動態様決定乱数）により割り振られた「０」〜「６５５３５」や「０」〜「２５５」といった所定範囲からランダムに選択された値である。また、乱数としては、数学的に発生させる乱数でなくともよく、ハードウエア乱数やソフトウエア乱数等により発生させる擬似乱数でもよい。例えば、乱数にある夫々の値の発現方式が、乱数の数列に沿って順々に値を発現させる方式（プラスワン方式）、乱数の数列の最終値が発現したときの次の値（初期値）を偶然性のある値によって定める方式（初期値更新方式）、これらの組み合わせ等を挙げることができる。
【００４０】
次に、保留制御手段１０３０は、保留消化及び変動開始に係る処理を制御する保留消化制御手段１０３１と、第１主遊技図柄変動許可が下りていない状況で取得した当該第１主遊技側乱数を一時記憶するか否かを判定し、当該判定結果に基づき前記乱数を図柄変動許可が下りるまで第１主遊技図柄保留情報一時記憶手段１０３２ａに保留するための第１主遊技図柄保留手段１０３２と、第２主遊技図柄変動許可が下りていない状況で取得した当該第２主遊技側乱数を一時記憶するか否かを判定し、当該判定結果に基づき前記乱数を図柄変動許可が下りるまで第２主遊技図柄保留情報一時記憶手段１０３３ａに保留するための第２主遊技図柄保留手段１０３３と、補助遊技図柄変動許可が下りていない状況で取得した補助遊技側乱数を一時記憶するか否かを判定し、当該判定結果に基づき当該乱数を図柄変動許可が下りるまで補助遊技図柄保留情報一時記憶手段１０３４ａに保留するための補助遊技図柄保留手段１０３４と、を有している。
【００４１】
ここで、保留消化制御手段１０３１は、変動表示を開始する条件を充足したか否かを判定する変動開始条件充足判定手段１０３１ａを有している。
【００４２】
次に、第１主遊技図柄保留手段１０３２、第２主遊技図柄保留手段１０３３及び補助遊技図柄保留手段１０３４は、最大４個まで記憶可能な、前記乱数を保留順序と結合した形で一時記憶するための、第１主遊技図柄保留情報一時記憶手段１０３２ａ、第２主遊技図柄保留情報一時記憶手段１０３３ａ及び補助遊技図柄保留情報一時記憶手段１０３４ａを夫々有している。
【００４３】
次に、遊技内容決定手段１１００は、特別遊技の当否及び第２主遊技電動役物２１２の開放可否を抽選する当否抽選手段１１１０と、各乱数に基づき、各図柄の停止図柄を決定するための図柄内容決定手段１１３０と、各乱数に基づき、各図柄の変動態様（変動時間等）を決定するための変動態様決定手段１１４０とを、有している。ここで、当否抽選手段１１１０は、当否抽選の結果、当りである場合に特別遊技への移行決定をする（例えば、内部的に当りフラグをオンにする）特別遊技移行決定手段１１１４と、第１主遊技図柄に関しての当否抽選を行う第１主遊技当否抽選手段１１１１と、第２主遊技図柄に関しての当否抽選を行う第２主遊技当否抽選手段１１１２と、補助遊技図柄に関しての当否抽選を行う補助遊技当否抽選手段１１１３とを、有している。ここで、第１主遊技当否抽選手段１１１１、第２主遊技当否抽選手段１１１２及び補助遊技当否抽選手段１１１３は、第１主遊技図柄に関しての当否抽選を行う際に参照される第１主遊技用当否抽選テーブル１１１１ａと、第２主遊技図柄に関しての当否抽選を行う際に参照される第２主遊技用当否抽選テーブル１１１２ａと、補助遊技図柄に関しての当否抽選を行う際に参照される補助遊技用当否抽選テーブル１１１３ａを夫々有している。尚、一部の詳細なテーブル構成の一例については後述する。
【００４４】
次に、図柄内容決定手段１１３０は、取得した遊技内容決定乱数（第１主遊技乱数）に基づき、第１主遊技図柄の停止図柄を決定する第１主遊技図柄決定手段１１３１と、取得した遊技内容決定乱数（第２主遊技乱数）に基づき、第２主遊技図柄の停止図柄を決定する第２主遊技図柄決定手段１１３２と、取得した補助遊技図柄当選乱数に基づき補助遊技図柄の停止図柄を決定する補助遊技図柄決定手段１１３３と、を有している。
【００４５】
ここで、第１主遊技図柄決定手段１１３１は、第１主遊技図柄に係る停止図柄を決定する際に参照される第１主遊技図柄決定用抽選テーブル１１３１ａを有しており、当該第１主遊技図柄決定用抽選テーブル１１３１ａは、当否結果に応じて異なる各種抽選テーブルを備えている。また、第２主遊技図柄決定手段１１３２は、第２主遊技図柄に係る停止図柄を決定する際に参照される第２主遊技図柄決定用抽選テーブル１１３２ａを有しており、当該第２主遊技図柄決定用抽選テーブル１１３２ａは、当否結果に応じて異なる各種抽選テーブルを備えている。尚、詳細なテーブル構成の一例については後述する。更に、補助遊技図柄決定手段１１３３は、補助遊技図柄に係る停止図柄を決定する際に参照される補助遊技図柄決定用抽選テーブル１１３３ａを有している｛但し、補助遊技図柄に関しては、ハズレ及び当りの当否結果に基づき一義的に決定するよう構成してもよいし、当否結果が同一であっても遊技状態に応じて異なるものが選択されるよう構成してもよい｝。
【００４６】
次に、変動態様決定手段１１４０は、取得した遊技内容決定乱数（第１主遊技乱数）に基づき、第１主遊技図柄の変動態様（変動時間等）を決定する第１主遊技変動態様決定手段１１４１と、取得した遊技内容決定乱数（第２主遊技乱数）に基づき、第２主遊技図柄の変動態様（変動時間等）を決定する第２主遊技変動態様決定手段１１４２と、取得した補助遊技図柄当選乱数に基づき補助遊技図柄の変動態様（変動時間等）を決定する補助遊技変動態様決定手段１１４３と、を有している。
【００４７】
ここで、第１主遊技変動態様決定手段１１４１は、第１主遊技図柄に係る変動態様を決定する際に参照される第１主遊技変動態様決定用抽選テーブル１１４１ａを有しており、当該第１主遊技変動態様決定用抽選テーブル１１４１ａは、当否結果・遊技状態に応じて異なる各種抽選テーブルを備えている（例えば、遊技状態に関しては、通常遊技→第１主遊技通常遊技状態用抽選テーブル、確率変動遊技→第１主遊技確率変動遊技状態用抽選テーブル、時間短縮遊技→第１主遊技時間短縮遊技状態用抽選テーブル）。また、第２主遊技変動態様決定手段１１４２は、第２主遊技図柄に係る変動態様を決定する際に参照される第２主遊技変動態様決定用抽選テーブル１１４２ａを有しており、当該第２主遊技変動態様決定用抽選テーブル１１４２ａは、当否結果・遊技状態に応じて異なる各種抽選テーブルを備えている（例えば、遊技状態に関しては、通常遊技→第２主遊技通常遊技状態用抽選テーブル、確率変動遊技→第２主遊技確率変動遊技状態用抽選テーブル、時間短縮遊技→第２主遊技時間短縮遊技状態用抽選テーブル）。尚、詳細なテーブル構成の一例については後述する。更に、補助遊技変動態様決定手段１１４３は、補助遊技図柄に係る変動態様を決定する際に参照される補助遊技図柄決定用抽選テーブル１１４３ａを有しており、当該補助遊技変動態様決定用抽選テーブル１１４３ａは、遊技状態に応じて異なる各種当選テーブルを備えている（通常遊技→補助遊技通常用抽選テーブル、確率変動遊技及び時間短縮遊技→補助遊技時間短縮用抽選テーブル）。
【００４８】
次に、表示制御手段１２００は、第１主遊技図柄表示装置１２０の第１主遊技図柄表示部１２１上及び第２主遊技図柄表示装置２２０の第２主遊技図柄表示部２２１上で、所定時間第１主遊技図柄を変動させた後に停止表示する制御を行う第１・第２主遊技図柄制御手段１２０１と、補助遊技図柄表示装置４２０の補助遊技図柄表示部４２１上で、所定時間補助遊技図柄を変動させた後に停止表示する制御を行う補助遊技図柄制御手段１２０３とを有している。
【００４９】
ここで、第１・第２主遊技図柄制御手段１２０１は、決定された変動態様に係る変動時間を管理するための第１・第２主遊技図柄変動時間管理手段１２０２を有している。また、第１・第２主遊技図柄変動時間管理手段１２０２は、ゼロクリア可能な第１・第２主遊技図柄変動管理用タイマ１２０２ａ（デクリメントカウンタ）を更に有している。更に、補助遊技図柄制御手段１２０３は、補助遊技図柄表示装置４２０の補助遊技図柄表示部４２１上での補助遊技図柄の変動時間を管理するための補助遊技図柄変動時間管理手段１２０４を有している。また、補助遊技図柄変動時間管理手段１２０４は、時間を計測可能な補助遊技図柄変動管理用タイマ１２０４ａを更に備えている。
【００５０】
次に、第２主遊技始動口電動役物開閉制御手段１２１０は、第２主遊技始動口２１０の第２主遊技電動役物２１２を開閉する処理を行うための条件を充足しているか否かを判定するための第２主遊技始動口電動役物開閉条件判定手段１２１１と、第２主遊技始動口２１０の第２主遊技電動役物２１２の駆動（開放）時間を計測する第２主遊技始動口電動役物開放タイマ１２１２とを有している。
【００５１】
次に、特別遊技制御手段１２２０は、特別遊技に移行するための条件を充足しているか否かを判定する条件判定手段１２２１と、特別遊技移行条件を充足している場合、当該特別遊技の内容（具体的には、開状態となる大入賞口、ラウンド数、ラウンド間時間等）を決定し、特別遊技関連情報一時記憶手段１２５３内にセットする特別遊技内容決定手段１２２２と、第１大入賞口３１０又は第２大入賞口３２０を所定条件で開状態にする特別遊技（大当り遊技）を実行するための特別遊技実行手段１２２３と、特別遊技に関する各種処理の時間管理（例えば、第１大入賞口３１０及び第２大入賞口３２０の開閉時間）を行うための特別遊技時間管理手段１２２４と、を有している。ここで、特別遊技実行手段１２２３は、第１大入賞口電動役物３１２と第２大入賞口電動役物３２２を開閉させる第１・第２大入賞口電動役物開閉制御手段１２２３ａと、第１大入賞口３１０と第２大入賞口３２０への入賞球を計測する入賞球カウンタ１２２３ｂを有している。次に、特別遊技時間管理手段１２２４は、ラウンド時間（一のラウンド実行時における実行可能期間）を管理する特別遊技用タイマ１２２４ａを更に有している。また、特別遊技内容決定手段１２２２は、特別遊技関連情報一時記憶手段１２５３にセットされるべき特別遊技の内容を特定する際に参照される特別遊技内容参照テーブル１２２２ａを更に有している（不図示であるが、例えば、主遊技図柄の停止図柄と特別遊技の内容とが対応付けされたテーブル）。
【００５２】
次に、特定遊技制御手段１２４０は、時間短縮遊技状態の終了条件を充足しているか否かを判定する時短遊技終了条件判定手段１２４２を有している。ここで、時短遊技終了条件判定手段１２４２は、時短回数をカウント可能な時短回数カウンタ１２４２ａ、を有している。ここで、「特定遊技」とは、例えば、特別遊技への抽選確率が通常遊技時よりも高い確率変動遊技や、主遊技図柄の変動時間が通常遊技時よりも相対的に短い時間短縮遊技を指す。
【００５３】
ここで、本実施形態においては、時間短縮遊技中には、非時間短縮遊技中と比較して、第１主遊技図柄及び第２主遊技図柄の変動時間が相対的に短縮される（時間短縮機能）。更に、補助遊技図柄の変動時間も相対的に短縮されると共に、第２主遊技始動口２１０の第２主遊技電動役物２１１の開放延長時間が相対的に延長される（開放時間延長機能）。また、本実施形態における時間短縮遊技は、第１主遊技図柄の変動回数と第２主遊技図柄の変動回数の合計値が所定回数を超えた場合に終了する（時短回数制限無しの確率変動遊技を除く）。即ち、時短回数は、第１主遊技図柄及び第２主遊技図柄の変動（停止）毎に減算されるよう構成されている。尚、確率変動遊技状態においても同様に、第１主遊技図柄の変動回数と第２主遊技図柄の変動回数の合計値が所定回数を超えた場合に終了するよう構成してもよいし、図柄変動の度に所定確率で特定遊技（例えば確率変動遊技や時間短縮遊技）から通常遊技への移行抽選を行う機能を有していてもよい（いわゆる、転落抽選機能を有するぱちんこ遊技機の場合）。
【００５４】
次に、遊技状態一時記憶手段１２５０は、第１主遊技（第１主遊技図柄の変動から停止に至るまでの遊技）及び第２主遊技（第２主遊技図柄の変動から停止に至るまでの遊技）における現在の遊技状態を一時記憶するための第１・第２主遊技状態一時記憶手段１２５１と、補助遊技における現在の遊技状態を一時記憶するための補助遊技状態一時記憶手段１２５２と、特別遊技における現在の遊技状態（例えば、ラウンド数、任意のラウンドにおける遊技球の入賞個数、特別遊技に関する各種フラグのオンオフ等）を一時記憶するための特別遊技関連情報一時記憶手段１２５３と、特定遊技における現在の遊技状態（例えば、時短の残り回数、特定遊技に関する各種フラグのオンオフ等）を一時記憶するための特定遊技関連情報一時記憶手段１２５４と、を有している。
【００５５】
ここで、第１・第２主遊技状態一時記憶手段１２５１は、現在変動中の第１又は第２主遊技図柄（変動開始条件が成立した第１又は第２主遊技図柄）に係る停止図柄及び変動態様情報を一時記憶するための第１・第２主遊技図柄情報一時記憶手段１２５１ａを有している。また、第１・第２主遊技状態一時記憶手段１２５１は、第１・第２主遊技に係るフラグ（変動中フラグ）のオンオフを一時記憶するフラグエリア（不図示）を有している。
【００５６】
また、補助遊技状態一時記憶手段１２５２は、現在変動中の補助遊技図柄（変動開始条件が成立した補助遊技図柄）に係る停止図柄等の情報を一時記憶するための補助遊技図柄情報一時記憶手段１２５２ａを有している。また、補助遊技状態一時記憶手段１２５２は、補助遊技に係るフラグ（電動役物開放中フラグ）のオンオフを一時記憶するフラグエリア（不図示）を有している。
【００５７】
また、特別遊技関連情報一時記憶手段１２５３は、特別遊技に係るフラグ（条件装置作動フラグ・特別遊技移行許可フラグ・ラウンド継続フラグ・特別遊技実行フラグ）のオンオフを一時記憶するフラグエリア（不図示）を有している。
【００５８】
また、特定遊技関連情報一時記憶手段１２５４は、特定遊技に係るフラグ（主遊技確変フラグ・主遊技時短フラグ・補助遊技時短フラグ）のオンオフを一時記憶するフラグエリア（不図示）を有している。
【００５９】
次に、遊技周辺機器について説明する。尚、一部の周辺機器については既に詳細構成を述べたので、残る構成について簡潔に説明する。まず、遊技周辺機器は、第１主遊技側の周辺機器である第１主遊技周辺機器１００と、第２主遊技側の周辺機器である第２主遊技周辺機器２００と、第１主遊技側と第２主遊技側の共用周辺機器である第１・第２主遊技共用周辺機器３００と、補助遊技に関する補助遊技周辺機器４００と、副遊技制御手段（サブメイン制御部）２０００、サブサブ制御部２５００（及び演出表示装置２５５０）等、を有している。ここで、サブメイン制御部２０００により制御される演出は、第１主遊技図柄及び第２主遊技図柄の変動と時間的に同期の取れた形での装飾図柄の変動を含め、遊技の結果に影響を与えない情報のみの表示に係るものである。以下、これらの周辺機器を順番に説明する。
【００６０】
まず、第１主遊技周辺機器１００は、特別遊技移行の契機となる第１主遊技始動口１１０と、第１主遊技図柄の停止表示及び変動表示が可能な第１主遊技図柄表示装置１２０と、を有している。
【００６１】
次に、第２主遊技周辺機器２００は、特別遊技移行の契機となる第２主遊技始動口２１０と、第２主遊技図柄の停止表示及び変動表示が可能な第２主遊技図柄表示装置２２０と、を有している。
【００６２】
次に、第１・第２主遊技共用周辺機器３００は、通常遊技の際には閉状態にあり、特別遊技（大当り遊技）の際には所定条件下で開状態となる第１大入賞口３１０及び第２大入賞口３２０を有している。
【００６３】
次に、補助遊技周辺機器４００は、第２主遊技始動口２１０の第２主遊技始動口電動役物２１２の開放の契機となる補助遊技始動口４１０と、補助遊技図柄の停止表示及び変動表示が可能な補助遊技図柄表示装置４２０とを有している。
【００６４】
次に、演出表示制御手段（サブメイン制御部）２０００は、主制御基板Ａ側からの各種情報を受信するための表示情報受信手段２１００と、演出表示に係る演出内容の決定処理及び表示制御処理を司る演出表示制御手段２２００と、サブサブ制御部２５００側との情報送受信を制御する情報送受信制御手段２４００と、を有している。以下、上記各手段を詳述する。
【００６５】
まず、表示情報受信手段２１００は、主制御基板Ａ側からの第１主遊技及び第２主遊技に関する図柄情報や表示指示情報を一時記憶するためのメイン側情報一時記憶手段２１１０を有している。
【００６６】
次に、演出表示制御手段２２００は、装飾図柄の変動態様や停止図柄の決定処理及び表示制御処理を司る装飾図柄表示制御手段２２１０と、装飾図柄の保留個数管理や保留表示処理を司る装図保留情報表示制御手段２２２０と、背景画像の決定処理及び表示制御処理を司る背景演出表示制御手段２２３０と、予告演出内容の決定処理及び表示制御処理を司る予告演出表示制御手段２２４０と、リーチ演出内容の決定処理及び表示制御処理を司るリーチ演出表示制御手段２２５０と、を有している。
【００６７】
ここで、装飾図柄表示制御手段２２１０は、主制御基板Ａ側からの情報に基づいて、装飾図柄の停止図柄及び変動態様を決定する装図表示内容決定手段２２１１と、装飾図柄の図柄変動に係る各種情報（変動態様情報、停止図柄情報、各種フラグ等）を一時記憶するための装図表示関連情報一時記憶手段２２１２と、装飾図柄の変動時間を計時するための装図変動時間管理タイマ２２１３と、を有している。ここで、装図表示内容決定手段２２１１は、装飾図柄の停止図柄及び変動態様を決定する際に参照される装図変動内容決定用抽選（参照）テーブル２２１１ａを更に有している（テーブルの詳細については不図示）。
【００６８】
また、装図表示関連情報一時記憶手段２２１２は、装飾図柄の表示に係るフラグ（図柄内容決定許可フラグ・図柄内容決定フラグ・図柄変動中フラグ）のオンオフを一時記憶するフラグエリア（不図示）を有している。
【００６９】
次に、装図保留情報表示制御手段２２２０は、装飾図柄に係る保留に関する情報を一時記憶するための装図保留情報一時記憶手段２２２１を有している。
【００７０】
次に、背景演出表示制御手段２２３０は、主制御基板Ａ側からの情報に基づいて、背景演出の表示内容を決定する背景演出表示内容決定手段２２３１と、背景演出表示に係る情報を一時記憶するための背景演出関連情報一時記憶手段２２３２と、を有している。
【００７１】
また、背景演出関連情報一時記憶手段２２３２は、背景演出の表示に係るフラグ（特別遊技中フラグ）のオンオフを一時記憶するフラグエリア（不図示）を有している。
【００７２】
次に、予告演出表示制御手段２２４０は、主制御基板Ａ側からの情報に基づいて、予告演出の表示内容や表示タイミング等を決定する予告演出表示内容決定手段２２４１と、予告演出表示に係る情報を一時記憶するための予告演出関連情報一時記憶手段２２４２と、を有している。
【００７３】
次に、リーチ演出表示制御手段２２５０は、主制御基板Ａ側からの情報に基づいて、リーチ演出の表示内容や表示タイミング等を決定するリーチ演出表示内容決定手段２２５１と、リーチ演出表示に係る情報を一時記憶するためのリーチ演出関連情報一時記憶手段２２５２と、を有している。
【００７４】
また、演出表示手段（サブサブ制御部）２５００は、サブメイン制御部２０００側との情報送受信を制御する副情報送受信制御手段２５１０と、演出表示装置２５５０上の表示領域２５５１へ画像を表示する画像表示制御手段２５２０と、を有している。ここで、画像表示制御手段２５２０は、サブメイン制御部２０００側から受信したコマンドや各種画像表示に係る情報を一時記憶するための画像表示関連情報一時記憶手段２５２１を更に有している。
【００７５】
また、演出表示手段（サブサブ制御部）２５００は、演出表示手段（サブサブ制御部）２５００からの情報に基づいて演出に係る画像を表示する演出表示装置２５５０と電気的に接続されている。ここで、演出表示装置２５５０は、画像を表示する表示領域２５５１を有している。また、表示領域２５５１は、装飾図柄を変動表示するための装飾図柄表示領域２５５１ａと、主遊技図柄の保留情報を表示する第１保留表示部２５５１ｂ１（及び第２保留表示部２５５１ｂ２）と、を有している（尚、補助遊技図柄の保留情報を表示する表示領域を別途設けるよう構成してもよい）。
【００７６】
尚、第１主遊技図柄表示装置１２０、第２主遊技図柄表示装置２２０及び補助遊技図柄表示装置４２０が、主制御基板Ａと情報伝達可能に接続されており、残る演出表示手段（サブサブ制御部）２５００が、副遊技制御手段（サブメイン制御部）２０００と情報伝達可能に接続されている。即ち、第１主遊技図柄表示装置１２０、第２主遊技図柄表示装置２２０及び補助遊技図柄表示装置４２０は、主制御基板Ａにより制御され、演出表示装置の表示領域２５５１は、副遊技制御手段（サブメイン制御部）２０００により制御されることを意味する。尚、主制御基板Ａと片方向通信（一方向通信）により制御される他の周辺機器を介して、別の周辺機器を制御するように構成してもよい。
【００７７】
次に、図５は、主制御基板Ａが行う一般的な処理の流れを示したメインフローチャートである。遊技機の電源投入後、同図（ａ）の処理が実行される。即ち、遊技機の電源投入後、初期設定を行った後（不図示）、ステップ３００２で、遊技制御手段１０００は、ＲＡＭクリアボタンの入力ポートを確認し、電源供給ユニットＥのリセットボタン（ＲＡＭクリアボタン）が操作されたか否か、即ち、遊技場の管理者等によって意図的にＲＡＭの内容をクリアさせる操作が行われたか否かを判定する。ステップ３００２でＹｅｓの場合、ステップ３００４で、遊技制御手段１０００は、主制御基板Ａ側のＲＡＭ内容（例えば、遊技状態一時記憶手段１２５０内の情報等）を全てクリアする。次に、ステップ３００６で、情報送信制御手段１３００は、主制御基板ＡのＲＡＭをクリアしたことを示すラムクリア情報（コマンド）をサブメイン制御部２０００側に送信し（当該タイミングにて送信してもよいし、当該タイミングではコマンドをセットしておき後述する制御コマンド送信処理にて送信するよう構成してもよい）、ステップ３０１４の処理に移行する。他方、ステップ３００２でＮｏの場合は、ステップ３００８で、遊技制御手段１０００は、主制御基板ＡにおけるＲＡＭ領域の内容をチェックする（例えば、電断時に記録されたチェックサムとＲＡＭ領域に保存されている情報量との比較を行う）。次に、ステップ３０１０で、遊技制御手段１０００は、当該チェック結果に基づきＲＡＭの内容が正常でないか否か（正確に電断時の情報がＲＡＭにバックアップされていないか否か）を判定する。ステップ３０１０でＹｅｓ、即ちＲＡＭにバックアップされていたデータが異常な場合には、ステップ３００４の処理（前述したＲＡＭクリア処理）に移行する。他方、ステップ３０１０でＮｏ、即ちＲＡＭにバックアップされていたデータが正常な場合、ステップ３０１１で、遊技制御手段１０００は、主制御基板ＡにおけるＲＡＭ内に記憶（バックアップ）されている電断時の各種情報コマンドを取得し、ステップ３０１２で情報送信制御手段１３００は、取得した各種情報コマンドをサブメイン制御部２０００側に送信し（当該タイミングにて送信してもよいし、当該タイミングではコマンドをセットしておき後述する制御コマンド送信処理にて送信するよう構成してもよい）、ステップ３０１４の処理に移行する。次に、ステップ３０１４で、遊技制御手段１０００は、同図のステップ１０００によって示される主制御基板Ａ側のメイン処理に係る実行定時割り込み（例えば、約１．５ｍｓ毎のハードウェア割り込みを契機とするが、本例では、当該割り込み周期をＴとする）を許可し（その結果、当該実行定時割り込みタイミング到達時には、同図のステップ１０００が実行されることとなる）、ステップ３０２０の処理に移行する。尚、ステップ３０２０に移行後は、次の定時割り込みタイミングに到達するまで、遊技制御手段１０００は、各種乱数更新処理（例えば、乱数カウンタのインクリメント処理）を繰り返し実行することとなる。
【００７８】
次に、タイマ割り込み処理について説明する。遊技制御手段１０００は、定時割り込みタイミングに到達した場合に発生する割り込み要求に基づいて、同図（ｂ）の処理を実行する。即ち、定時割り込み周期Ｔの到達時（例えば、約１．５ｍｓ毎のハードウェア割り込み）を契機として、ステップ１１００で、遊技制御手段１０００は、後述の補助遊技内容決定乱数取得処理を実行する。次に、ステップ１２００で、遊技制御手段１０００は、後述の電動役物駆動判定処理を実行する。次に、ステップ１３００で、遊技制御手段１０００は、後述の主遊技内容決定乱数取得処理を実行する。次に、ステップ１４００で、遊技制御手段１０００は、後述の主遊技図柄表示処理を実行する。次に、ステップ１５００で、遊技制御手段１０００は、後述の特別遊技作動条件判定処理を実行する。次に、ステップ１６００で、遊技制御手段１０００は、後述の特別遊技制御処理を実行する。次に、ステップ１７００で、主制御基板Ａ（特に賞球払出決定手段１４００）は、遊技球が入賞した入賞口に基づき、賞球払出制御処理（賞球払出装置３２００の駆動制御等を賞球払出制御基板３０００に実行させ、その結果を管理するための処理等）を実行する。次に、ステップ１８００で、主制御基板Ａは、外部信号の出力処理（外部端子板、ホールコンピュータＨ等への情報出力）を実行する。次に、ステップ１９００で、主制御基板Ａ（特に情報送信制御手段１３００）は、制御コマンド送信処理（前述の各処理でセットされたコマンドをサブメイン制御部２０００側に送信する）を実行し、本割り込み処理の実行直前に実行されていた処理に復帰する。
【００７９】
次に、ＮＭＩ割り込み処理について説明する。前述の通り、主制御基板Ａは、リセットＩＣからの電断信号がＣＰＵのＮＭＩ端子に入力されるように構成されており、遊技機における電源断時において、同図（ｃ）の処理が実行される。即ち、遊技機の電源断時（本例では、ＮＭＩ割り込み時）において、ステップ３６０４で、遊技制御手段１０００は、ＲＡＭ領域の情報に基づき電断時情報（例えば、チェックサム）をセットする。次に、ステップ３６０６で、遊技制御手段１０００は、ＲＡＭ領域への書き込みを禁止すると共に、タイマ割り込み処理を禁止し、電源断待ちループ処理に移行する。
【００８０】
次に、図６は、図５におけるステップ１１００のサブルーチンに係る、補助遊技内容決定乱数取得処理のフローチャートである。まず、ステップ１１０２で、補助遊技始動口入球判定手段１０１３は、補助遊技始動口４１０に遊技球が入球（流入、ゲートの場合は通過）したか否かを判定する。ステップ１１０２でＹｅｓの場合、ステップ１１０４で、補助遊技乱数取得判定実行手段１０２３は、補助遊技図柄保留情報一時記憶手段１０３４ａを参照し、保留球が上限（例えば４個）でないか否かを判定する。ステップ１１０４でＹｅｓの場合、ステップ１１０６で、補助遊技乱数取得判定実行手段１０２３は、補助遊技内容決定乱数（例えば、補助遊技図柄当選乱数）を取得する。次に、ステップ１１０８で、補助遊技図柄保留手段１０３４は、何個目の保留であるかという情報と共に、当該乱数を補助遊技図柄保留情報一時記憶手段１０３４ａにセットする形で保留球を１加算し、本サブルーチンの呼び出し元に復帰する。尚、ステップ１１０２及びステップ１１０４でＮｏの場合も、本サブルーチンの呼び出し元に復帰する。
【００８１】
次に、図７は、図５におけるステップ１２００のサブルーチンに係る、電動役物駆動判定処理のフローチャートである。まず、ステップ１２０２で、第２主遊技電動役物開閉制御手段１２１０は、補助遊技状態一時記憶手段１２５２のフラグエリアを参照して、電動役物開放中フラグがオフであるか否かを判定する。ステップ１２０２でＹｅｓの場合、ステップ１２０４で、第２主遊技電動役物開閉制御手段１２１０は、補助遊技状態一時記憶手段１２５２を参照して、補助遊技図柄変動中フラグがオフであるか否かを判定する。ステップ１２０４でＹｅｓの場合、ステップ１２０６で、第２主遊技電動役物開閉制御手段１２１０は、補助遊技図柄保留情報一時記憶手段１０３４ａにアクセスし、補助遊技図柄に関する保留球があるか否かを判定する。ステップ１２０６でＹｅｓの場合、ステップ１２１６で、補助遊技図柄決定手段１１３３は、補助遊技状態一時記憶手段１２５２を参照して補助遊技側の遊技状態（補助遊技時短フラグのフラグ状態）を取得すると共に、補助遊技図柄決定用抽選テーブル１１３３ａを参照し、当該取得した補助遊技側の遊技状態及び当該保留球に基づく補助遊技図柄乱数に基づき停止図柄を決定（例えば、補助遊技時短フラグがオンである場合には、オフである場合と比して高確率で当選図柄を選択）して補助遊技図柄情報一時記憶手段１２５２ａに一時記憶する。次に、ステップ１２１８で、補助遊技図柄変動時間管理手段１２０４は、補助遊技側の遊技状態（補助遊技時短フラグのフラグ状態）に基づき、補助遊技図柄変動管理用タイマ１２０２ａに補助遊技図柄の変動時間に係る所定時間（例えば、補助遊技時短フラグがオンの場合には５秒、補助遊技時短フラグがオフの場合には３０秒）をセットする。そして、ステップ１２２０で、補助遊技図柄制御手段１２０３は、補助遊技状態一時記憶手段１２５２中の補助遊技図柄変動中フラグをオンにする。次に、ステップ１２２２で、補助遊技図柄保留手段１０３４は、補助遊技図柄に関する当該保留球を１減算した上で補助遊技図柄保留情報一時記憶手段１０３４ａに記録されている保留情報を更新すると共に、補助遊技図柄制御手段１２０３は、補助遊技図柄変動管理用タイマ１２０４ａをスタートした後、補助遊技図柄表示部４２１上で補助遊技図柄の変動表示を開始する。次に、ステップ１２２４で、補助遊技図柄変動時間管理手段１２０４は、補助遊技図柄変動管理用タイマ１２０２ａを参照して、補助遊技図柄の変動時間に係る所定時間に到達したか否かを判定する。ステップ１２２４でＹｅｓの場合、ステップ１２２６で、補助遊技図柄制御手段１２０３は、補助遊技図柄情報一時記憶手段１２５２ａを参照して補助遊技図柄の停止図柄を取得すると共に、当該取得した補助遊技図柄の停止図柄を補助遊技図柄表示部４２１上で確定表示する。そして、ステップ１２２８で、補助遊技図柄制御手段１２０３は、補助遊技状態一時記憶手段１２５２中の補助遊技図柄変動中フラグをオフにする。次に、ステップ１２３０で、第２主遊技始動口電動役物開閉条件判定手段１２１１は、当該補助遊技図柄の停止図柄が「当り」であるか否かを判定する。ステップ１２３０でＹｅｓの場合、ステップ１２３２で、第２主遊技電動役物開閉制御手段１２１０は、補助遊技側の遊技状態（補助遊技時短フラグのフラグ状態）に基づき、第２主遊技電動役物開放タイマ１２１２に電動役物の開放時間に係る所定時間（例えば、補助遊技時短フラグがオンの場合には６秒、補助遊技時短フラグがオフの場合には０．５秒）をセットする。次に、ステップ１２３４で、第２主遊技電動役物開閉制御手段１２１０は、補助遊技状態一時記憶手段１２５２のフラグエリア内にある、電動役物開放中フラグをオンにする。そして、ステップ１２３６で、第２主遊技電動役物開閉制御手段１２１０は、第２主遊技始動口２１０の第２主遊技電動役物２１２を開放する。次に、ステップ１２３８で、第２主遊技電動役物開閉制御手段１２１０は、第２主遊技電動役物開放タイマ１２１２を参照して、電動役物の開放時間に係る所定時間に到達したか否かを判定する。ステップ１２３８でＹｅｓの場合、ステップ１２４０及びステップ１２４２で、第２主遊技電動役物開閉制御手段１２１０は、第２主遊技始動口２１０の第２主遊技電動役物２１２を閉鎖すると共に、補助遊技状態一時記憶手段１２５２のフラグエリア内にある、電動役物開放中フラグをオフにし、本サブルーチンの呼び出し元に復帰する。
【００８２】
尚、ステップ１２０２でＮｏの場合にはステップ１２３８に移行し、ステップ１２０４でＮｏの場合にはステップ１２２４に移行し、ステップ１２０６、ステップ１２２４、ステップ１２３０及びステップ１２３８でＮｏの場合には本サブルーチンの呼び出し元に復帰する。
【００８３】
また、本フローチャートでは、便宜上、ステップ１２２６での停止図柄表示後、すぐに次のステップに移行しているが、これには限定されない。その場合には、５００ｍｓ程度の停止表示固定時間を経てから次の処理に移行するよう構成してもよい（例えば、停止表示固定中フラグ及びタイマを利用して分岐処理を行うことによりこの処理を達成可能である）。
【００８４】
次に、図８は、図５におけるステップ１３００のサブルーチンに係る、主遊技内容決定乱数取得処理のフローチャートである。まず、ステップ１３０２で、第１主遊技始動口入球判定手段１０１１は、第１主遊技始動口１１０の第１入球検出装置１１１から第１主遊技始動口入球情報を受信したか否かを判定する。ステップ１３０２でＹｅｓの場合、ステップ１３０４で、第１主遊技乱数取得判定実行手段１０２１は、第１主遊技図柄保留情報一時記憶手段１０３２ａを参照し、主遊技（特に第１主遊技側）に関する保留球が上限（例えば４個）でないか否かを判定する。ステップ１３０４でＹｅｓの場合、ステップ１３０６で、第１主遊技乱数取得判定実行手段１０２１は、第１主遊技内容決定乱数を取得する。なお、本実施例では、第１主遊技内容決定乱数として、当否を決定するための当否抽選乱数、当り時の図柄を決定するための図柄抽選乱数、特別図柄の変動パターン（変動時間）を決定するための変動態様抽選乱数の３つの乱数を取得している。ちなみに、これら３つの乱数は夫々更新周期・乱数範囲の異なる乱数生成手段から生成され、本タイミングで一連的に取得するようになっている。次に、ステップ１３０８で、第１主遊技図柄保留手段１０３２は、当該取得した第１主遊技内容決定乱数を第１主遊技図柄保留情報一時記憶手段１０３２ａに一時記憶（保留）する。次に、ステップ１３１０で、保留制御手段１０３０は、第１主遊技乱数が取得された旨の情報（保留発生コマンド）を、サブメイン制御部２０００へ送信するためのコマンド送信用バッファ１３０１にセット（ステップ１９００の制御コマンド送信処理によってサブメイン制御部２０００側に送信される）する。
【００８５】
次に、ステップ１３１２で、第２主遊技始動口入球判定手段１０１２は、第２主遊技始動口２１０の第２入球検出装置２１１から第２主遊技始動口入球情報を受信したか否かを判定する。ステップ１３１２でＹｅｓの場合、ステップ１３１４で、第２主遊技乱数取得判定実行手段１０２２は、第２主遊技図柄保留情報一時記憶手段１０３３ａを参照し、主遊技（特に第２主遊技側）に関する保留球が上限（例えば４個）でないか否かを判定する。ステップ１３１４でＹｅｓの場合、ステップ１３１６で、第２主遊技乱数取得判定実行手段１０２２は、第２主遊技内容決定乱数を取得する。なお、本実施例では、第２主遊技内容決定乱数として、第１主遊技内容決定手段と同様に当否抽選乱数、図柄抽選乱数、変動態様抽選乱数の３つの乱数を取得している。ちなみに、第１主遊技内容決定乱数の各乱数の取得範囲と第２主遊技内容決定乱数の各乱数の取得範囲（例えば第１主遊技用の当否抽選乱数と第２主遊技用の当否抽選乱数の取得範囲）を同じに設定している。次に、ステップ１３１８で、第２主遊技図柄保留手段１０３３は、当該取得した第２主遊技内容決定乱数を第２主遊技図柄保留情報一時記憶手段１０３３ａに一時記憶（保留）する。次に、ステップ１３２０で、保留制御手段１０３０は、第２主遊技乱数が取得された旨の情報（保留発生コマンド）を、サブメイン制御部２０００へ送信するためのコマンド送信用バッファ１３０１にセット（ステップ１９００の制御コマンド送信処理によってサブメイン制御部２０００側に送信される）し、本サブルーチンの呼び出し元に復帰する。尚、ステップ１３０２及びステップ１３０４でＮｏの場合にはステップ１３１２に移行し、ステップ１３１２及びステップ１３１４でＮｏの場合には本サブルーチンの呼び出し元に復帰する。
【００８６】
尚、本実施形態では、ステップ１３１０、ステップ１３２０にてサブメイン制御部２０００へ送信する情報として、乱数が取得された旨の情報を送信しているが、当該乱数値の情報や主遊技図柄の保留数を付帯して送信してもよく、これらの情報により乱数が取得された旨の情報として代用することも可能である。
【００８７】
次に、図９は、図５におけるステップ１４００のサブルーチンに係る、主遊技図柄表示処理のフローチャートである。まず、ステップ１４０１で、保留消化制御手段１０３１は、第２主遊技図柄保留情報一時記憶手段１０３３ａを参照し、第２主遊技図柄の保留が存在していないか否かを確認する。ステップ１４０１でＹｅｓの場合、ステップ１４００（１）で、遊技内容決定手段１１００は、後述の第１主遊技図柄表示処理を実行し、本サブルーチンの呼び出し元に復帰する。他方、ステップ１４０１でＮｏの場合、ステップ１４００（２）で、遊技内容決定手段１１００は、後述の第２主遊技図柄表示処理を実行し、本サブルーチンの呼び出し元に復帰する。
【００８８】
このように、本実施形態においては、第２主遊技図柄の保留球が存在する場合には、第１主遊技図柄の保留球の存在に係らず（たとえ入賞順序が第１主遊技図柄の保留の方が先でも）、第２主遊技図柄の保留消化を優先して実行するよう構成されているが、これには限定されない（入賞順序に基づく保留消化や、双方の主遊技図柄を同時並行的に抽選する並列抽選を実行するよう構成してもよい）。
【００８９】
次に、図１０は、図９におけるステップ１４００（１）｛ステップ１４００（２）｝のサブルーチンに係る、第１主遊技図柄表示処理（第２主遊技図柄表示処理）のフローチャートである。尚、本処理は、第１主遊技図柄側と第２主遊技図柄とで略同一の処理となるため、第１主遊技図柄側について主に説明し、第２主遊技図柄側の処理については括弧書きとする。まず、ステップ１４０３で、保留消化制御手段１０３１は、変動開始条件が成立しているか否かを判定する。ここで、当該変動開始条件は、特別遊技中（又は条件装置作動中）でない、且つ、主遊技図柄変動中でない、且つ、主遊技図柄の保留が存在することが条件となる。
【００９０】
ステップ１４０３でＹｅｓの場合、ステップ１４０５及びステップ１４０６で、保留消化制御手段１０３１は、第１主遊技図柄保留情報一時記憶手段１０３２ａ（第２主遊技図柄保留情報一時記憶手段１０３３ａ）に一時記憶されている、今回の図柄変動に係る第１主遊技内容決定乱数（第２主遊技内容決定乱数）を読み出すと共に、第１主遊技図柄保留情報一時記憶手段１０３２ａ（第２主遊技図柄保留情報一時記憶手段１０３３ａ）から削除し、当該一時記憶されている残りの情報をシフトする（保留消化処理）。次に、ステップ１４１０−１で、第１主遊技当否抽選手段１１１１（第２主遊技当否抽選手段１１１２）は、各遊技状態に対応する第１主遊技用当否抽選テーブル１１１１ａ（第２主遊技用当否抽選テーブル１１１２ａ）を参照し、第１主遊技内容決定乱数（第２主遊技内容決定乱数）（特に、当選抽選乱数）に基づき、主遊技図柄当否抽選を実行する。
【００９１】
ここで、図１１（主遊技テーブル１）は、第１主遊技用当否抽選テーブル１１１１ａ（第２主遊技用当否抽選テーブル１１１２ａ）の一例である。本例に示されるように、本実施形態においては、確率変動遊技状態時における大当り当選確率は、非確率変動遊技状態時における大当り当選確率よりも高確率となるよう構成されている。尚、当選確率はあくまでも一例であり、これには何ら限定されない。また、本実施形態においては、遊技状態を移行させ得ない当り（いわゆる小当り）については例示していないが、小当りが発生（小当りに当選）するよう構成してもよい。
【００９２】
次に、ステップ１４１０−２で、第１主遊技図柄決定手段１１３１（第２主遊技図柄決定手段１１３２）は、第１主遊技図柄決定用抽選テーブル１１３１ａ（第２主遊技図柄決定用抽選テーブル１１３２ａ）を参照し、主遊技図柄の当否抽選結果及び第１主遊技内容決定乱数（第２主遊技内容決定乱数）（特に、図柄抽選乱数）に基づいて主遊技図柄に関する停止図柄を決定し、これらを第１・第２主遊技図柄情報一時記憶手段１２５１ａに一時記憶する。
【００９３】
ここで、図１１（主遊技テーブル２）は、第１主遊技図柄決定用抽選テーブル１１３１ａ（第２主遊技図柄決定用抽選テーブル１１３２ａ）の一例である。本例に示されるように、本実施形態においては、大当りに当選した場合、複数の主遊技図柄候補（本例では、「４Ａ・５Ａ・７Ａ」及び「４Ｂ・５Ｂ・７Ｂ」）の内から一つの主遊技図柄が大当り図柄として決定されるよう構成されている。尚、当該主遊技図柄を参照して決定される特別遊技のラウンド数は、４Ａ、４Ｂ、５Ａ、５Ｂが８Ｒ、７Ａ及び７Ｂが１６Ｒとなっている。尚、乱数値や停止図柄の種類についても、あくまで一例であり、これには限定されない｛例えば、ハズレ図柄は一種類の図柄であることには限定されず、複数種類の図柄を設けるよう構成してもよく、特定の図柄が停止表示された場合には当該特定の図柄が停止表示される前とは、主遊技図柄の変動態様の種類及び／又は選択率が異なる状態（限定頻度状態）へ移行するよう構成してもよい｝。
【００９４】
次に、ステップ１４１０−３で、第１主遊技変動態様決定手段１１４１（第２主遊技変動態様決定手段１１４２）は、各遊技状態に対応する第１主遊技変動態様決定用抽選テーブル１１４１ａ（第２主遊技変動態様決定用抽選テーブル１１４２ａ）を参照し、主遊技図柄当否抽選結果及び第１主遊技内容決定乱数（第１主遊技内容決定乱数）（特に、変動態様抽選乱数）に基づいて主遊技図柄の変動態様を決定し、これらを第１・第２主遊技図柄情報一時記憶手段１２５１ａに一時記憶して、ステップ１４１５に移行する。
【００９５】
ここで、図１１（主遊技テーブル３）は、第１主遊技変動態様決定用抽選テーブル１１４１ａ（第２主遊技変動態様決定用抽選テーブル１１４２ａ）の一例である。本例に示されるように、本実施形態においては、主遊技図柄の当否抽選結果及び主遊技時短フラグ状態に基づき、主遊技図柄の変動態様（変動時間）が決定されるよう構成されている。即ち、主遊技図柄の当否抽選結果が当りの場合には相対的に変動時間が長時間となる変動態様が決定され易く、主遊技時短フラグがオンである場合（時間短縮遊技状態）には相対的に変動時間が短時間となる変動態様が決定され易いよう構成されている。尚、本例はあくまでも一例であり、停止図柄の種類や選択率等には何ら限定されない。また、本実施形態では、説明の便宜上、保留球数に応じて異なるテーブルを有するよう構成しなかったが、保留球数に応じて異なるテーブルを有するように構成してもよいことはいうまでもない。更には、時間短縮遊技状態（主遊技時短フラグがオンの場合）における第１主遊技側の図柄変動時間が相対的に長時間となるよう構成してもよい｛第２主遊技側での図柄変動が実行されることが遊技者にとって有利となるよう構成されていた際、第１主遊技側の図柄変動効率を低下させることで第２主遊技側の保留が生起し易い（遊技者にとって有利となる）状況を構築することを趣旨とするため、第１主遊技側の始動口と第２主遊技側の始動口とを打ち分けできない場合において特に効果を発揮する｝。
【００９６】
次に、ステップ１４１５で、遊技内容決定手段１１００は、第１・第２主遊技図柄情報一時記憶手段１２５１ａに一時記憶された主遊技図柄に係るコマンド（停止図柄情報、停止図柄の属性情報、変動態様情報等）及び現在の遊技状態に係るコマンド（図柄変動表示開始指示コマンド）を、サブメイン制御部２０００側に送信するためのコマンド送信用バッファ１３０１にセットする（ステップ１９００の制御コマンド送信処理によってサブメイン制御部２０００側に送信される）。次に、ステップ１４１６で、第１・第２主遊技図柄変動時間管理手段１２０２が、主遊技図柄の変動時間に係る所定時間を第１・第２主遊技図柄変動管理用タイマ１２０２ａにセットする（例えば、当該タイマ値はタイマ割り込み毎に減算される）。次に、ステップ１４１７で、第１・第２主遊技図柄制御手段１２０１は、第１主遊技図柄表示装置１２０（第２主遊技図柄表示装置２２０）の第１主遊技図柄表示部１２１（第２主遊技図柄表示部２２１）上で、第１・第２主遊技図柄情報一時記憶手段１２５１ａに記憶された変動態様に従い、主遊技図柄の変動表示を開始する。次に、ステップ１４１８で、第１・第２主遊技図柄制御手段１２０１は、第１・第２主遊技状態一時記憶手段１２５１のフラグエリア内にある、変動中フラグをオンにし、ステップ１４２０に移行する。
【００９７】
他方、ステップ１４０３でＮｏの場合、ステップ１４１９で、第１・第２主遊技図柄制御手段１２０１は、第１・第２主遊技状態一時記憶手段１２５１のフラグエリアを参照し、変動中フラグがオンであるか否かを判定する。ステップ１４１９でＹｅｓの場合にはステップ１４２０に移行し、ステップ１４１９でＮｏの場合には本サブルーチンの呼び出し元に復帰する。
【００９８】
次に、ステップ１４２０で、第１・第２主遊技図柄変動時間管理手段１２０２は、主遊技図柄の変動時間に係る所定時間に到達したか否か（例えば、第１・第２主遊技図柄変動管理用タイマ１２０２ａがタイプアップしたか否か）を判定する。ステップ１４２０でＹｅｓの場合、ステップ１４２２で、第１・第２主遊技図柄変動時間管理手段１２０２は、図柄変動が終了する旨の情報（図柄確定表示指示コマンド）を、サブメイン制御部２０００側に送信するためのコマンド送信用バッファ１３０１にセットする（ステップ１９００の制御コマンド送信処理によってサブメイン制御部２０００側に送信される）。次に、ステップ１４２３で、第１・第２主遊技図柄制御手段１２０１は、第１主遊技図柄表示装置１２０（第２主遊技図柄表示装置２２０）の第１主遊技図柄表示部１２１（第２主遊技図柄表示部２２１）上での主遊技図柄の変動表示を停止し、第１・第２主遊技図柄情報一時記憶手段１２５１ａに記憶されている停止図柄を確定停止図柄として表示制御する。次に、ステップ１４２４で、第１・第２主遊技図柄制御手段１２０１は、第１・第２主遊技状態一時記憶手段１２５１のフラグエリア内にある、変動中フラグをオフにする。
【００９９】
次に、ステップ１４３０で、遊技内容決定手段１１００は、第１・第２主遊技図柄情報一時記憶手段１２５１ａを参照し、当該主遊技図柄の停止図柄が大当り図柄であるか否かを判定する。ステップ１４３０でＹｅｓの場合、ステップ１４３２で、遊技内容決定手段１１００は、特別遊技関連情報一時記憶手段１２５３のフラグエリア内にある、条件装置作動フラグをオンにする。他方、ステップ１４３０でＮｏの場合には、ステップ１４３２をスキップする。
【０１００】
次に、ステップ１４５０で、特定遊技制御手段１２４０は、後述の特定遊技終了判定処理を実行し、本サブルーチンの呼び出し元に復帰する。尚、ステップ１４２０でＮｏの場合にも、本サブルーチンの呼び出し元に復帰する。
【０１０１】
次に、図１２は、図１０におけるステップ１４５０のサブルーチンに係る、特定遊技終了判定処理のフローチャートである。まず、ステップ１４５２で、特定遊技制御手段１２４０は、特定遊技関連情報一時記憶手段１２５４のフラグエリアを参照し、主遊技確変フラグがオフであるか否かを判定する。ステップ１４５２でＹｅｓの場合、ステップ１４７０で、特定遊技制御手段１２４０は、時短回数カウンタ１２４２ａの値を参照し、当該カウンタ値が０よりも大きいか否かを判定する。ステップ１４７０でＹｅｓの場合、ステップ１４７２で、特定遊技制御手段１２４０は、時短回数カウンタ１２４２ａのカウンタ値を１減算する。次に、ステップ１４７４で、特定遊技制御手段１２４０は、時短回数カウンタ１２４２ａの値を参照し、当該カウンタ値（残り時短回数）が０であるか否かを判定する。ステップ１４７４でＹｅｓの場合、ステップ１４７６及びステップ１４７８で、特定遊技制御手段１２４０は、特定遊技制御手段１２５４のフラグエリア内にある、主遊技時短フラグ及び補助遊技時短フラグをオフにし、本サブルーチンの呼び出し元に復帰する。尚、ステップ１４５２、ステップ１４７０及びステップ１４７４でＮｏの場合にも、本サブルーチンの呼び出し元に復帰する。
【０１０２】
次に、図１３は、図５におけるステップ１５００のサブルーチンに係る、特別遊技作動条件判定処理のフローチャートである。まず、ステップ１５０２で、条件判定手段１２２１は、特別遊技関連情報一時記憶手段１２５３のフラグエリアを参照し、条件装置作動フラグがオンであるか否かを判定する。ステップ１５０２でＹｅｓの場合、ステップ１５０４で、特別遊技制御手段１２２０は、特定遊技関連情報一時記憶手段１２５４のフラグエリア内にある、特定遊技フラグ（主遊技確変フラグ・主遊技時短フラグ・補助遊技時短フラグ）をオフにする。次に、ステップ１５０６で、特別遊技制御手段１２２０は、時短回数カウンタ１２４２ａの値をクリアする。次に、ステップ１５０８で、特別遊技制御手段１２２０は、特別遊技関連情報一時記憶手段１２５３のフラグエリア内にある、特別遊技移行許可フラグをオンにする。次に、ステップ１５１０で、特別遊技制御手段１２２０は、特別遊技関連情報一時記憶手段１２５３のフラグエリア内にある、条件装置作動フラグをオフにし、本サブルーチンの呼び出し元に復帰する。尚、ステップ１５０２でＮｏの場合も、本サブルーチンの呼び出し元に復帰する。
【０１０３】
次に、図１４は、図５におけるステップ１６００のサブルーチンに係る、特別遊技制御処理のフローチャートである。まず、ステップ１６０２で、特別遊技実行手段１２２３は、特別遊技関連情報一時記憶手段１２５３のフラグエリアを参照し、特別遊技移行許可フラグがオンであるか否かを判定する。ステップ１６０２でＹｅｓの場合、ステップ１６０４及びステップ１６０６で、特別遊技実行手段１２２３は、特別遊技関連情報一時記憶手段１２５３のフラグエリア内にある、特別遊技移行許可フラグをオフにすると共に特別遊技実行フラグをオンにする。次に、ステップ１６０７で、特別遊技実行手段１２２３は、特別遊技関連情報一時記憶手段１２５３内のラウンド数カウンタに初期値（本例では、１）をセットする。次に、ステップ１６０８で、特別遊技実行手段１２２３は、特別遊技を開始する旨の情報（特別遊技開始表示指示コマンド）を、サブメイン制御部２０００側に送信するためのコマンド送信用バッファ１３０１にセットし（ステップ１９００の制御コマンド送信処理にて、サブメイン制御部２０００側に送信される）、ステップ１６１２に移行する。
【０１０４】
他方、ステップ１６０２でＮｏの場合、ステップ１６１０で、特別遊技実行手段１２２３は、特別遊技関連情報一時記憶手段１２５３を参照し、特別遊技実行フラグがオンであるか否かを判定する。そして、ステップ１６１０でＹｅｓの場合には、ステップ１６１２に移行する。尚、ステップ１６１０でＮｏの場合には、特別遊技実行手段１２２３は、特別遊技の許可が下りていないと判定し、本サブルーチンの呼び出し元に復帰する。
【０１０５】
次に、ステップ１６１２で、特別遊技実行手段１２２３は、特別遊技関連情報一時記憶手段１２５３のフラグエリアを参照し、ラウンド継続フラグがオフであるか否か、換言すれば、各ラウンドの開始直前である否かを判定する。ステップ１６１２でＹｅｓの場合、即ち、各ラウンドの開始直前である場合、まず、ステップ１６１４で、特別遊技実行手段１２２３は、特別遊技関連情報一時記憶手段１２５３にセットした開放パターン（例えば、開放し続ける開放パターン、開閉を行うパターン）をセットする。次に、ステップ１６１６で、特別遊技実行手段１２２３は、入賞球カウンタ１２２３ｂのカウンタ値をゼロクリアする。次に、ステップ１６１８で、特別遊技実行手段１２２３は、特別遊技関連情報一時記憶手段１２５３のフラグエリア内にある、ラウンド継続フラグをオンにする。次に、ステップ１６２０で、特別遊技実行手段１２２３は、第１大入賞口３１０の第１大入賞口電動役物３１２（又は第２大入賞口３２０の第２電動役物３２２）を駆動して第１大入賞口３１０（又は第２大入賞口３２０）を開放し、特別遊技用タイマ１２２４ａ（特に開放時間タイマ）に所定時間（例えば、３０秒）をセットしてスタートし、ステップ１６２２に移行する。他方、ステップ１６１２でＮｏの場合、即ち、大入賞口が開放中である場合、ステップ１６１４〜１６２０の処理を行うことなく、ステップ１６２２に移行する。
【０１０６】
次に、ステップ１６２２で、特別遊技実行手段１２２３は、現在の特別遊技中に係る遊技状態コマンド（例えば、現在のラウンド数や遊技球の入賞個数等）を、サブメイン制御部２０００側に送信するためのコマンド送信用バッファ１３０１にセット（ステップ１９００の制御コマンド送信処理にて、サブメイン制御部２０００側に送信される）する。次に、ステップ１６２４で、特別遊技実行手段１２２３は、入賞球カウンタ１２２３ｂのカウンタ値を参照し、当該ラウンドで第１大入賞口３１０（又は第２大入賞口３２０）に所定個数（例えば１０球）の入賞球があったか否かを判定する。ステップ１６２４でＹｅｓの場合には、ステップ１６２８に移行する。他方、ステップ１６２４でＮｏの場合、ステップ１６２６で、特別遊技実行手段１２２３は、特別遊技用タイマ１２２４ａ（特に開放時間タイマ）を参照して大入賞口開放に係る所定時間（例えば、３０秒）が経過したか否かを判定する。ステップ１６２６でＹｅｓの場合にも、ステップ１６２８に移行する。尚、ステップ１６２６でＮｏの場合には、本サブルーチンの呼び出し元に復帰する。
【０１０７】
次に、ステップ１６２８で、特別遊技実行手段１２２３は、第１大入賞口３１０の第１大入賞口電動役物３１２（又は第２大入賞口３２０の第２大入賞口電動役物３２２）の駆動を停止して第１大入賞口３１０（又は第２大入賞口３２０）を閉鎖する。次に、ステップ１６３０で、特別遊技実行手段１２２３は、特別遊技用タイマ１２２４ａ（特に開放時間タイマ）をリセットする。次に、ステップ１６３２で、特別遊技実行手段１２２３は、特別遊技関連情報一時記憶手段１２５３のフラグエリア内にある、ラウンド継続フラグをオフにする。次に、ステップ１６３３で、特別遊技実行手段１２２３は、特別遊技関連情報一時記憶手段１２５３内のラウンド数カウンタのカウンタ値に１を加算する。次に、ステップ１６３４で、特別遊技実行手段１２２３は、特別遊技関連情報一時記憶手段１２５３を参照し、最終ラウンドが終了したか否か（例えば、特別遊技関連情報一時記憶手段１２５３内のラウンド数カウンタのカウンタ値が最大ラウンド数を超過したか否か）を判定する。ステップ１６３４でＹｅｓの場合、ステップ１６３６で、特別遊技実行手段１２２３は、特別遊技関連情報一時記憶手段１２５３のフラグエリア内にある、特別遊技実行フラグをオフにする。次に、ステップ１６３８で、特別遊技実行手段１２２３は、特別遊技を終了する旨の情報（特別遊技終了表示指示コマンド）を、サブメイン制御部２０００側に送信するためのコマンド送信用バッファ１３０１にセット（ステップ１９００の制御コマンド送信処理にて、サブメイン制御部２０００側に送信される）する。そして、ステップ９０００で、特定遊技制御手段１２４０は、後述の特別遊技終了後の遊技状態決定処理を実行し、本サブルーチンの呼び出し元に復帰する。尚、ステップ１６３４でＮｏの場合にも、本サブルーチンの呼び出し元に復帰する。
【０１０８】
次に、図１５は、図１４におけるステップ９０００のサブルーチンに係る、特別遊技終了後の遊技状態決定処理のフローチャートである。まず、ステップ９００２で、特定遊技制御手段１２４０は、第１・第２主遊技図柄情報一時記憶手段１２５１ａを参照し、停止図柄が確変大当り図柄（本例では、５Ａ・５Ｂ・７Ａ・７Ｂ）であるか否かを判定する。ステップ９００２でＹｅｓの場合、ステップ９００４で、特定遊技制御手段１２４０は、特定遊技関連情報一時記憶手段１２５４のフラグエリア内にある、主遊技確変フラグをオンにする。次に、ステップ９００６で、特定遊技制御手段１２４０は、時短回数カウンタ１２４２ａのカウンタ値に所定回数（本例では、∞回）をセットし、ステップ９０１０に移行する。ここで、「∞回」とは、次回の大当りまで時間短縮遊技が継続することを表す概念であり、極端に大きな数値（例えば、６５５３５回）をセットしてもよい（尚、本実施形態では、確率変動遊技状態である状況下における時間短縮遊技状態時には、主遊技図柄の変動表示と停止表示とが１回行われたとしても、時短回数カウンタ１２４２ａのカウンタ値が減算されないよう構成されているが、このように極端に大きな数値をセットした場合には、主遊技図柄の変動表示と停止表示とが１回行われる度に時短回数カウンタ１２４２ａのカウンタ値が減算されるよう構成したとしても、実質的には次回の大当りまで時間短縮遊技が継続する）。
【０１０９】
他方、ステップ９００２でＮｏの場合、ステップ９００８で、特定遊技制御手段１２４０は、時短回数カウンタ１２４２ａのカウンタ値に所定回数（本例では、５０回）をセットし、ステップ９０１０に移行する。次に、ステップ９０１０及びステップ９０１２で、特定遊技制御手段１２４０は、特定遊技関連情報一時記憶手段１２５４のフラグエリア内にある、主遊技時短フラグ及び補助遊技時短フラグをオンにし、本サブルーチンの呼び出し元に復帰する。
【０１１０】
次に、図１６〜図２１を参照して、サブメイン制御部２０００側で実行される制御処理を説明する。まず、図１６は、本実施形態に係るぱちんこ遊技機における、副制御基板Ｂ側（特に、サブメイン制御部２０００側）のメインフローチャートである。ここで、同図（ａ）の処理は、遊技機への電源投入時等のリセット後に実行されるサブメイン制御部２０００側での処理（ステップ４０００）である。即ち、遊技機への電源投入時において、サブメイン制御部２０００は、メイン側（主制御基板Ａ側）から受信した情報に基づき、初期処理を実行する（例えば、ＲＡＭクリア情報を受信した場合→サブメイン制御部２０００側のＲＡＭを初期化、各種情報コマンドを受信した場合→当該各種情報コマンドに基づき、演出再開情報をサブメイン制御部２０００側のＲＡＭに再セット）。その後、サブメイン制御部２０００の繰り返し処理ルーチンであるステップ５０００を繰り返し実行するループ処理に移行する。ここで、ステップ５０００が実行された場合、同図（ｂ）の処理に示されるように、まず、ステップ５６００で、副遊技制御手段（サブメイン制御部）２０００は、後述する保留情報管理処理を実行する。次に、ステップ５７００で、副遊技制御手段（サブメイン制御部）２０００は、後述する装飾図柄表示内容決定処理を実行する。次に、ステップ５８００で、副遊技制御手段（サブメイン制御部）２０００は、後述する装飾図柄表示制御処理を実行する。次に、ステップ６０００で、副遊技制御手段（サブメイン制御部）２０００は、後述する特別遊技関連表示制御処理を実行する。次に、ステップ７０００で、副遊技制御手段（サブメイン制御部）２０００は、表示コマンド送信制御処理（これら一連のサブルーチンでセットされたコマンドをサブサブ制御部２５００側に送信する処理）を実行し、本繰り返し処理ルーチンを終了する。
【０１１１】
以上のように、サブメイン制御部２０００は、リセット後、サブメイン側ルーチン（Ｓ５６００〜Ｓ７０００）をループ処理する形態を採用している。また、同図（ｃ）の処理は、サブメイン制御部２０００の割り込み処理であり、前述した主制御基板ＡにおけるＳＴＢ信号線からの信号がサブメイン制御部２０００のＣＰＵの一端子（本例では、ＮＭＩ端子）に接続されていた場合における処理フロー（ステップ４７００）である。即ち、サブメイン制御部２０００のＣＰＵにおいてＮＭＩ割り込みが発生した場合（ＳＴＢ信号線がオンとなった場合）、ステップ４８００で、サブメイン制御部２０００は、主制御基板Ａ側からのコマンド入力ポート（前述したデータ信号線の入力ポート）を確認する。そして、ステップ４９００で、サブメイン制御部２０００は、当該確認結果に基づき、サブメイン制御部２０００側のＲＡＭ（例えば、メイン側情報一時記憶手段２１１０）に、主制御基板Ａ側から送信されたコマンドを一時記憶し、本割り込み処理直前に実行されていた処理へ復帰する。
【０１１２】
次に、図１７は、図１６におけるステップ５６００のサブルーチンに係る、保留情報管理処理のフローチャートである。まず、ステップ５６０２で、装図保留情報表示制御手段２２２０は、メイン側情報一時記憶手段２１１０を参照し、主制御基板Ａ側から新たな保留発生コマンド（第１主遊技図柄又は第２主遊技図柄に係る保留情報）を受信したか否かを判定する。ステップ５６０２でＹｅｓの場合、ステップ５６０４で、装図保留情報表示制御手段２２２０は、装図保留情報一時記憶手段２２２１内の装図保留カウンタ（本例では、第１主遊技用が最大４個、第２主遊技用が最大４個）に「１」を加算する。次に、ステップ５６０６で、装図保留情報表示制御手段２２２０は、主制御基板Ａ側から送信された保留発生コマンドに基づき、保留情報（特に、主遊技図柄抽選に係る乱数値）を、装図保留情報一時記憶手段２２２１に一時記憶し、ステップ５６１８に移行する。
【０１１３】
他方、ステップ５６０２でＮｏの場合、ステップ５６１０で、装図保留情報表示制御手段２２２０は、メイン側情報一時記憶手段２１１０を参照し、主制御基板Ａ側から図柄変動表示開始指示コマンドを受信したか否かを判定する。ステップ５６１０でＹｅｓの場合、ステップ５６１２で、装図保留情報表示制御手段２２２０は、装図保留情報一時記憶手段２２２１内の装図保留カウンタから「１」を減算する。次に、ステップ５６１４で、装図保留情報表示制御手段２２２０は、当該図柄変動に係る保留情報を、装図保留情報一時記憶手段２２２１から削除すると共に、残りの保留情報をシフトする。次に、ステップ５６１６で、副遊技制御手段（サブメイン制御部）２０００は、装図表示関連情報一時記憶手段２２１２のフラグエリア内にある、図柄内容決定許可フラグをオンにし、ステップ５６１８に移行する。次に、ステップ５６１８で、装図保留情報表示制御手段２２２０は、演出表示手段２５００を駆使して演出表示装置２５５０上（特に、第１保留表示部２５５１ｂ１、第２保留表示部２５５１ｂ２）に、装図保留情報一時記憶手段２２２１内の装図保留カウンタ値と同数の保留表示ランプを点灯表示し、本サブルーチンの呼び出し元に復帰する。尚、ステップ５６１０でＮｏの場合には、ステップ５６１８に移行する。
【０１１４】
次に、図１８は、図１６におけるステップ５７００のサブルーチンに係る、装飾図柄表示内容決定処理のフローチャートである。まず、ステップ５７０２で、装図表示内容決定手段２２１１は、装図表示関連情報一時記憶手段２２１２のフラグエリアを参照し、図柄内容決定許可フラグがオンであるか否かを判定する。ステップ５７０２でＹｅｓの場合、ステップ５７０４で、装図表示内容決定手段２２１１は、装図表示関連情報一時記憶手段２２１２のフラグエリア内にある、図柄内容決定許可フラグをオフにする。次に、ステップ５７０６で、装図表示内容決定手段２２１１は、メイン側情報一時記憶手段２１１０を参照し、主遊技図柄の変動態様がリーチ変動態様であるか否かを判定する（例えば、受信した変動時間が１５秒以上であるか否かによって判定する）。
【０１１５】
ステップ５７０６でＹｅｓの場合、ステップ５７０８で、装図表示内容決定手段２２１１は、メイン側情報一時記憶手段２１１０を参照し、主遊技図柄停止図柄に関する情報に基づき、装飾図柄のリーチ演出における、最終リーチ図柄（例えば、Ｘ）を決定し、装図表示関連情報一時記憶手段２２１２に一時記憶する。ここで、主遊技図柄の停止図柄が、確率変動大当り図柄となる予定である場合→奇数図柄から選択、非確率変動大当り図柄となる予定である場合→偶数図柄から選択、ハズレ図柄となる予定である場合→奇数図柄・偶数図柄からランダムに選択、となるように装飾図柄の最終リーチ図柄を決定するよう構成することが望ましい（現在、市場にある遊技機において、奇数図柄での大当りは確率変動大当り図柄、偶数図柄での大当りは非確率変動大当り図柄、となっている場合が多いため）。次に、ステップ５７１０で、リーチ演出表示内容決定手段２２５１は、メイン側情報一時記憶手段２１１０及びリーチ演出内容決定テーブルを参照し、主遊技図柄の変動態様に関する情報に基づき、装飾図柄の変動態様（特に、リーチ演出内容）を決定し、リーチ演出関連情報一時記憶手段２２５２に一時記憶する。
【０１１６】
ここで、同図（リーチ演出内容決定テーブル）は、主遊技図柄の変動態様に基づいて、装飾図柄の変動態様（特に、リーチ演出内容）を決定するためのテーブルである。図示されるように、主遊技図柄の変動態様がＡ２・Ｂ２（変動時間１５秒）である場合には、装飾図柄の変動態様としてノーマルリーチが選択され、リーチ演出内容は、装飾図柄の変動開始後、ノーマルリーチが発生し、その後、最終停止図柄にて装飾図柄が停止表示される演出に決定されることとなる。同様に、装飾図柄の変動態様は、主遊技図柄の変動態様がＡ３・Ｂ３（変動時間３０秒）である場合には、装飾図柄の変動開始後、ノーマルリーチ発生→ＳＰリーチ１に発展→装飾図柄停止（最終停止図柄）、というリーチ演出が実行される装飾図柄の変動態様（ＳＰリーチ１）に決定され、主遊技図柄の変動態様がＡ４・Ｂ４（変動時間６０秒）である場合には、装飾図柄の変動開始後、ノーマルリーチ発生→ＳＰリーチ１に発展→装飾図柄仮停止→ＳＰリーチ２に発展→図柄停止（最終停止図柄）、というリーチ演出が実行される装飾図柄の変動態様（ＳＰリーチ２）に決定されることとなる（リーチ演出の詳細については後述する）。
【０１１７】
フローチャートの説明に戻ると、ステップ５７１０で装飾図柄の変動態様を決定後、ステップ５７５０で、装図表示内容決定手段２２１１は、後述するリーチ演出中表示図柄決定処理を実行し、ステップ５７１６に移行する。
【０１１８】
他方、ステップ５７０６でＮｏの場合｛主遊技図柄の変動態様がリーチ変動態様でない場合｝、ステップ５７１２で、装図表示内容決定手段２２１１は、装飾図柄の停止図柄としてバラケ目（例えば、「２・５・１」「４・９・９」等の、左右の図柄がゾロ目とならない図柄の並び）を決定し、装図表示関連情報一時記憶手段２２１２に一時記憶する。次に、ステップ５７１４で、装図表示内容決定手段２２１１は、装飾図柄の変動態様をハズレ用の変動態様（例えば、変動開始後、左図柄停止→右図柄停止→中央図柄停止）に決定すると共にリーチ演出関連情報一時記憶手段２２５２に一時記憶し、ステップ５７１６に移行する。次に、ステップ５７１６で、装図表示内容決定手段２２１１は、装図表示関連情報一時記憶手段２２１１のフラグエリア内にある、図柄内容決定フラグをオンにし、本サブルーチンの呼び出し元に復帰する。尚、ステップ５７０２でＮｏの場合にも、本サブルーチンの呼び出し元に復帰する。
【０１１９】
次に、図１９は、図１８におけるステップ５７５０のサブルーチンに係る、リーチ演出中表示図柄決定処理のフローチャートである。ここで、同図の説明においては、表示される図柄は左列・中央列・右列の３列からなり、当該各図柄列は、１〜９の数字が描かれた図柄が、昇順に変動するよう並んでいる（「１」図柄の次に「２」図柄が表示される。また、「９」図柄の次は「１」図柄が表示されることとなる）。また、表示された各列の図柄がすべて同一図柄であった場合に特別遊技への移行が確定的に報知され、２つの列（特に、左右列）に停止表示された図柄が同一図柄である状態を「リーチ」と呼ぶものとする。
【０１２０】
まず、ステップ５７５２で、装図表示内容決定手段２２１１は、リーチ演出関連情報一時記憶手段２２５２を参照し、当該変動に係る装飾図柄の変動態様がＳＰリーチ２であるか否かを判定する。ステップ５７５２でＹｅｓの場合、ステップ５７５４で、装図表示内容決定手段２２１１は、装図表示関連情報一時記憶手段２２１２に一時記憶された、最終リーチ図柄と同じ（例えば、Ｘ）図柄を、ＳＰリーチ２演出におけるリーチ図柄（左列・右列に停止表示する図柄）として決定し、装図表示関連情報一時記憶手段２２１２に一時記憶する。
【０１２１】
次に、ステップ５７５６で、装図表示内容決定手段２２１１は、メイン側情報一時記憶手段２１１０内に記憶された主遊技図柄情報を参照し、当該変動がハズレに係る変動であるか否かを判定する。ステップ５７５６でＹｅｓの場合、ステップ５７５８で、装図表示内容決定手段２２１１は、装図表示関連情報一時記憶手段２２１２に一時記憶された、ＳＰリーチ２演出におけるリーチ図柄の１コマ後（例えば、Ｘ＋１）の図柄を、ＳＰリーチ２演出における中央停止図柄（ハズレとなる）として決定すると共に、装図表示関連情報一時記憶手段２２１２に一時記憶し、ステップ５７６２に移行する。他方、ステップ５７５６でＮｏの場合（当該変動が当りに係る変動である場合）、ステップ５７６０で、装図表示内容決定手段２２１１は、装図表示関連情報一時記憶手段２２１２に一時記憶された、ＳＰリーチ２演出におけるリーチ図柄と同じ（例えば、Ｘ）図柄を、ＳＰリーチ２演出における中央停止図柄（当りとなる）として決定すると共に、装図表示関連情報一時記憶手段２２１２に一時記憶し、ステップ５７６２に移行する。
【０１２２】
次に、ステップ５７６２で、装図表示内容決定手段２２１１は、装図表示関連情報一時記憶手段２２１２に一時記憶された、最終リーチ図柄の１コマ前（例えば、Ｘ−１）の図柄を、ＳＰリーチ１演出におけるリーチ図柄（左列・右列に停止表示する図柄）として決定し、装図表示関連情報一時記憶手段２２１２に一時記憶する。次に、ステップ５７６４で、装図表示内容決定手段２２１１は、装図表示関連情報一時記憶手段２２１２に一時記憶された、ＳＰリーチ１演出におけるリーチ図柄の１コマ前（例えば、Ｘ−２）の図柄を、ＳＰリーチ１演出における中央仮停止図柄（ハズレとなる）として決定し、装図表示関連情報一時記憶手段２２１２に一時記憶する。ここで、装飾図柄の変動態様がＳＰリーチ２である場合、ＳＰリーチ１演出における停止図柄（左・中・右）は、ＳＰリーチ２演出にて再度変動するため、仮停止図柄となる。
【０１２３】
次に、ステップ５７６６で、装図表示内容決定手段２２１１は、装図表示関連情報一時記憶手段２２１２に一時記憶された、最終リーチ図柄の２コマ前（例えば、Ｘ−２）の図柄を、ノーマルリーチ演出におけるリーチ図柄（左列・右列に停止表示する図柄）として決定すると共に、装図表示関連情報一時記憶手段２２１２に一時記憶し、本サブルーチンの呼び出し元に復帰する。
【０１２４】
他方、ステップ５７５２でＮｏの場合、ステップ５７７０で、装図表示内容決定手段２２１１は、リーチ演出関連情報一時記憶手段２２５２を参照し、当該変動に係る装飾図柄の変動態様がＳＰリーチ１であるか否かを判定する。ステップ５７７０でＹｅｓの場合、ステップ５７７２で、装図表示内容決定手段２２１１は、装図表示関連情報一時記憶手段２２１２に一時記憶された、最終リーチ図柄と同じ（例えば、Ｘ）図柄を、ＳＰリーチ１演出におけるリーチ図柄（左列・右列に停止表示する図柄）として決定し、装図表示関連情報一時記憶手段２２１２に一時記憶する。
【０１２５】
次に、ステップ５７７４で、装図表示内容決定手段２２１１は、メイン側情報一時記憶手段２１１０内に記憶された主遊技図柄情報を参照し、当該変動がハズレに係る変動であるか否かを判定する。ステップ５７７４でＹｅｓの場合、ステップ５７７６で、装図表示内容決定手段２２１１は、装図表示関連情報一時記憶手段２２１２に一時記憶された、ＳＰリーチ１演出におけるリーチ図柄の１コマ前（例えば、Ｘ−１）の図柄を、ＳＰリーチ１演出における中央停止図柄（ハズレとなる）として決定すると共に、装図表示関連情報一時記憶手段２２１２に一時記憶し、ステップ５７８０に移行する。他方、ステップ５７７４でＮｏの場合（当該変動が当りに係る変動である場合）、ステップ５７７８で、装図表示内容決定手段２２１１は、装図表示関連情報一時記憶手段２２１２に一時記憶された、ＳＰリーチ１演出におけるリーチ図柄と同じ（例えば、Ｘ）図柄を、ＳＰリーチ１演出における中央停止図柄（当りとなる）として決定すると共に、装図表示関連情報一時記憶手段２２１２に一時記憶し、ステップ５７８０に移行する。
【０１２６】
次に、ステップ５７８０で、装図表示内容決定手段２２１１は、装図表示関連情報一時記憶手段２２１２に一時記憶された、最終リーチ図柄の１コマ前（例えば、Ｘ−１）の図柄を、ノーマルリーチ演出におけるリーチ図柄（左列・右列に停止表示する図柄）として決定すると共に、装図表示関連情報一時記憶手段２２１２に一時記憶し、本サブルーチンの呼び出し元に復帰する。
【０１２７】
他方、ステップ５７７０でＮｏの場合（ノーマルリーチ変動である場合）、ステップ５７８２で、装図表示内容決定手段２２１１は、装図表示関連情報一時記憶手段２２１２に一時記憶された、最終リーチ図柄と同じ（例えば、Ｘ）図柄を、ノーマルリーチ演出におけるリーチ図柄（左列・右列に停止表示する図柄）として決定し、装図表示関連情報一時記憶手段２２１２に一時記憶する。
【０１２８】
次に、ステップ５７８４で、装図表示内容決定手段２２１１は、メイン側情報一時記憶手段２１１０内に記憶された主遊技図柄情報を参照し、当該変動がハズレに係る変動であるか否かを判定する。ステップ５７８４でＹｅｓの場合、ステップ５７８６で、装図表示内容決定手段２２１１は、装図表示関連情報一時記憶手段２２１２に一時記憶された、ノーマルリーチ演出におけるリーチ図柄の１コマ前（例えば、Ｘ−１）の図柄を、ノーマルリーチ演出における中央停止図柄（ハズレとなる）として決定すると共に、装図表示関連情報一時記憶手段２２１２に一時記憶し、本サブルーチンの呼び出し元に復帰する。他方、ステップ５７８４でＮｏの場合（当該変動が当りに係る変動である場合）、ステップ５７８８で、装図表示内容決定手段２２１１は、装図表示関連情報一時記憶手段２２１２に一時記憶された、ノーマルリーチ演出におけるリーチ図柄と同じ（例えば、Ｘ）図柄を、ノーマルリーチ演出における中央停止図柄（当りとなる）として決定すると共に、装図表示関連情報一時記憶手段２２１２に一時記憶し、本サブルーチンの呼び出し元に復帰する。
【０１２９】
ここで、同図（リーチ中装飾図柄表示イメージ図）は、リーチ演出中に表示される装飾図柄（特に、装飾図柄の変動態様がＳＰリーチ２であり、ハズレとなる場合）に係るイメージ図である。まず、変動開始時、最終リーチ図柄及び当該変動中に表示（特に、停止表示、仮停止表示）する予定の装飾図柄をすべて決定する。同イメージ図では、最終リーチ図柄が「３」に決定された場合について例示している。
【０１３０】
次に、装飾図柄の左列と右列とで「１」図柄が停止表示され、ノーマルリーチ演出に移行する。その後、リーチ図柄が「１」から「２」へと変化し、ＳＰリーチ１演出に移行する。その後、ＳＰリーチ１演出における中央図柄が、ＳＰリーチ１図柄である「２」図柄の１コマ前の図柄である「１」図柄にて停止表示（ＳＰリーチ２演出において再度変動するため、ここでは仮停止表示）される。
【０１３１】
次に、リーチ図柄が「２」から「３」へと変化すると共に、中央図柄が再度変動を開始し、ＳＰリーチ２演出に移行する。その後、ＳＰリーチ２演出における中央図柄が、ＳＰリーチ２図柄である「３」図柄の１コマ後の図柄である「４」図柄にて停止表示されることとなる（最終停止図柄）。
【０１３２】
このように、ノーマルリーチ演出からＳＰリーチ１演出に移行する際に、リーチ図柄が１コマ後の図柄に切り替わり（例えば、「１」→「２」）、ＳＰリーチ１演出からＳＰリーチ２演出に移行する際に、リーチ図柄が１コマ後の図柄に切り替わる（例えば、「２」→「３」）よう構成されている。また、ハズレに係る変動である場合、ノーマルリーチ演出・ＳＰリーチ１演出においては、リーチ図柄の１コマ前の図柄が中央図柄として停止表示し、ＳＰリーチ２演出においては、リーチ図柄の１コマ後の図柄が中央図柄として停止表示されることとなる。
【０１３３】
次に、図２０は、図１６におけるステップ５８００のサブルーチンに係る、装飾図柄表示制御処理のフローチャートである。まず、ステップ５８０２で、装飾図柄表示制御手段２２１０は、装図表示関連情報一時記憶手段２２１２のフラグエリアを参照し、図柄内容決定フラグがオンであるか否かを判定する。ステップ５８０２でＹｅｓの場合、ステップ５８０４で、装飾図柄表示制御手段２２１０は、装図表示関連情報一時記憶手段２２１２のフラグエリア内にある、図柄内容決定フラグをオフにする。次に、ステップ５８０６で、装飾図柄表示制御手段２２１０は、装図表示関連情報一時記憶手段２２１２のフラグエリア内にある、図柄変動中フラグをオンにする。次に、ステップ５８０９で、装飾図柄表示制御手段２２１０は、装図変動時間管理タイマ２２１３をスタートし、ステップ５８１０に移行する。尚、ステップ５８０２でＮｏの場合にも、ステップ５８１０に移行する。
【０１３４】
次に、ステップ５８１０で、装飾図柄表示制御手段２２１０は、装図表示関連情報一時記憶手段２２１２のフラグエリアを参照し、図柄変動中フラグがオンであるか否かを判定する。ステップ５８１０でＹｅｓの場合、ステップ５８１２で、装飾図柄表示制御手段２２１０は、装図変動時間管理タイマ２２１３と装図表示関連情報一時記憶手段２２１２に一時記憶された変動態様とに基づき、装飾図柄の変動開始タイミングに到達したか否かを判定する。ステップ５８１２でＹｅｓの場合、ステップ５８１４で、装飾図柄表示制御手段２２１０は、装飾図柄の変動表示コマンドをセット（ステップ７０００の表示コマンド送信制御処理にて、サブサブ制御部２５００側に送信される）し、ステップ５８３０に移行する。
【０１３５】
他方、ステップ５８１２でＮｏの場合、ステップ５８１６で、装飾図柄表示制御手段２２１０は、装図変動時間管理タイマ２２１３と装図表示関連情報一時記憶手段２２１２に一時記憶された変動態様とに基づき、装飾図柄（左図柄）の停止表示タイミング（仮停止表示タイミング又は確定表示タイミング）に到達したか否かを判定する。ステップ５８１６でＹｅｓの場合、ステップ５８１８で、装飾図柄表示制御手段２２１０は、装飾図柄（左図柄）の停止表示コマンド（仮停止表示コマンド又は確定表示コマンド）をセット（ステップ７０００の表示コマンド送信制御処理にて、サブサブ制御部２５００側に送信される）し、ステップ５８３０に移行する。
【０１３６】
他方、ステップ５８１６でＮｏの場合、ステップ５８２０で、装飾図柄表示制御手段２２１０は、装図変動時間管理タイマ２２１３と装図表示関連情報一時記憶手段２２１２に一時記憶された変動態様とに基づき、装飾図柄（右図柄）の停止表示タイミング（仮停止表示タイミング又は確定表示タイミング）に到達したか否かを判定する。ステップ５８２０でＹｅｓの場合、ステップ５８２２で、装飾図柄表示制御手段２２１０は、装飾図柄（右図柄）の停止表示コマンド（仮停止表示コマンド又は確定表示コマンド）をセット（ステップ７０００の表示コマンド送信制御処理にて、サブサブ制御部２５００側に送信される）し、ステップ５８３０に移行する。
【０１３７】
他方、ステップ５８２０でＮｏの場合、ステップ５８２４で、装飾図柄表示制御手段２２１０は、装図変動時間管理タイマ２２１３と装図表示関連情報一時記憶手段２２１２に一時記憶された変動態様とに基づき、装飾図柄（中央図柄）の停止表示タイミング（仮停止表示タイミング又は確定表示タイミング）に到達したか否かを判定する。ステップ５８２４でＹｅｓの場合、ステップ５８２６で、装飾図柄表示制御手段２２１０は、装飾図柄（中央図柄）の停止表示コマンド（仮停止表示コマンド又は確定表示コマンド）をセット（ステップ７０００の表示コマンド送信制御処理にて、サブサブ制御部２５００側に送信される）し、ステップ５８３０に移行する。
【０１３８】
他方、ステップ５８２４でＮｏの場合、ステップ５８２８で、予告演出表示制御手段２２４０（及びリーチ演出表示制御手段２２５０）は、装図変動時間管理タイマ２２１３と予告演出関連情報一時記憶手段２２４２（及びリーチ演出関連情報一時記憶手段２２５２）に一時記憶された変動態様とに基づき、予告画像やリーチ画像の表示タイミングに到達したか否かを判定する。ステップ５８２８でＹｅｓの場合、ステップ５８２９で、予告演出表示制御手段２２４０（及びリーチ演出表示制御手段２２５０）は、当該予告画像やリーチ画像に係る画像表示コマンドをセット（ステップ７０００の表示コマンド送信制御処理にて、サブサブ制御部２５００側に送信される）し、ステップ５８３０に移行する。尚、ステップ５８２９でＮｏの場合にも、ステップ５８３０に移行する。
【０１３９】
次に、ステップ５８３０で、装飾図柄表示制御手段２２１０は、主遊技図柄が停止表示されたか否かを判定する（例えば、メイン側情報一時記憶手段２１１０を参照し、主制御基板Ａ側から主遊技図柄が停止表示される旨の情報を受信したか否かを判定する）。ステップ５８３０でＹｅｓの場合、ステップ５８３２で、装飾図柄表示制御手段２２１０は、装図変動時間管理タイマ２２１３を停止すると共にリセット（ゼロクリア）する。次に、ステップ５８３４で、装飾図柄表示制御手段２２１０は、装図表示関連情報一時記憶手段２２１２のフラグエリア内にある、図柄変動中フラグをオフにし、本サブルーチンの呼び出し元に復帰する。尚、ステップ５８１０又はステップ５８３０でＮｏの場合にも、本サブルーチンの呼び出し元に復帰する。
【０１４０】
次に、図２１は、図１７におけるステップ６０００のサブルーチンに係る、特別遊技関連表示制御処理のフローチャートである。まず、ステップ６００２で、背景演出表示制御手段２２３０は、背景演出関連情報一時記憶手段２２３２のフラグエリアを参照し、特別遊技中フラグがオフであるか否かを判定する。ステップ６００２でＹｅｓの場合、ステップ６００４で、背景演出表示制御手段２２３０は、メイン側情報一時記憶手段２１１０を参照し、メイン側から特別遊技開始表示指示コマンドを受信したか否かを判定する。ステップ６００４でＹｅｓの場合、ステップ６００６及びステップ６００８で、背景演出表示制御手段２２３０は、背景演出関連情報一時記憶手段２２３２のフラグエリア内にある、特別遊技中フラグをオンにすると共に、演出表示装置２５５０上で大当り開始表示を行い（大当りの種類に基づき適宜表示を行う）、ステップ６０１２に移行する。尚、ステップ６００２でＮｏの場合にも、ステップ６０１２に移行する。
【０１４１】
次に、ステップ６０１２で、背景演出表示制御手段２２３０は、メイン側から逐次送信されている遊技情報に基づき、演出表示装置２５５０上にてラウンド数と入賞個数を逐次表示する（遊技性や大当りの種類等に基づき、必要に応じて適宜実行すればよい）。次に、ステップ６０１４で、背景演出表示制御手段２２３０は、メイン側情報一時記憶手段２１１０を参照し、メイン側から特別遊技終了表示指示コマンドを受信したか否かを判定する。ステップ６０１４でＹｅｓの場合、ステップ６０１６で、背景演出表示制御手段２２３０は、演出表示装置２５５０上で、大当り終了表示を行う（大当りの種類に基づき適宜表示を行う）。次に、ステップ６０１８で、背景演出表示制御手段２２３０は、背景演出関連情報一時記憶手段２２３２のフラグエリア内にある、特別遊技中フラグをオフにし、本サブルーチンの呼び出し元に復帰する。尚、ステップ６００４又はステップ６０１４でＮｏの場合にも、本サブルーチンの呼び出し元に復帰する。
【０１４２】
以上のように構成することで、本実施形態に係る遊技機によれば、リーチ演出が実行される変動態様である変動開始時に、当該変動における最終リーチ図柄を決定すると共に、当該決定した最終リーチ図柄と当該変動に係る変動態様とに基づいて、当該変動中のリーチ演出にて表示（例えば、停止表示・仮停止表示）する図柄が一義的に決定されることで、表示図柄を決定する際の抽選に係る処理を削減することができることとなる。
【０１４３】
（変更例１）
尚、表示図柄を決定する際の抽選に係る処理を削減するための態様は、これには限定されない。ここで、そのような構成の一例を、本実施形態からの変更例１とし、以下、本実施形態からの変更点についてのみ、詳述する。
【０１４４】
まず、図２２は、本実施形態からの変更例１における、図１６でのステップ５７００のサブルーチンに係る、装飾図柄表示内容決定処理のフローチャートである。はじめに、本実施形態からの変更点は、ステップステップ５７１１（変１）についてであり、その目的は、テーブルを用いてリーチ演出における表示図柄を決定し得るよう構成することである。即ち、装飾図柄の変動態様を決定後、ステップ５７１１（変１）で、装図表示内容決定手段２２１１は、リーチ演出図柄決定テーブルを参照し、主遊技図柄の変動態様及び停止図柄に基づいて、抽選によってリーチ演出に係る各表示図柄を決定する。
【０１４５】
ここで、図２３は、本実施形態からの変更例１における、図２２にて参照されるリーチ演出図柄決定テーブルの一例である。図示されるように、主遊技図柄の変動態様、主遊技停止図柄、及び乱数値に基づいて、リーチ演出に係る各表示図柄が決定されるよう構成されている。尚、同図にて用いられる乱数値の取得方法は特に限定されず、主制御基板Ａ側（メイン側）から保留発生コマンドを受信した際や、変動開始時に取得してもよい。
【０１４６】
以上のように変更することで、本実施形態からの変更例１に係る遊技機は、主遊技図柄の変動態様、主遊技停止図柄、及び乱数値に基づいてリーチ演出に係る各表示図柄を決定するテーブルを有しており、当該テーブルを参照することで、リーチ演出に係る各表示図柄を一義的に決定し得るため、表示図柄を決定する際の抽選に係る処理を削減することができることとなる。尚、本例では図示していないが、あるリーチ演出から他のリーチ演出に移行した際に、リーチ図柄が切り替わる（特に、リーチ図柄の数字が大きくなる）遊技機において、リーチ図柄の数字が大きいほど、大当り期待度や大当り時に遊技者に付与される利益の平均値が大きくなるよう構成してもよい（即ち、いわゆる格下げが起きないよう構成しておくことが好適であり、例えば、確変大当り図柄の「３」でリーチ演出が発生した後は、非確変大当り図柄の「４」に係るリーチ演出が発生しないよう構成する、等）。
【０１４７】
（変更例２）
また、本実施形態に係る遊技機では、通常のリーチの組合せによるリーチ演出を例示したが、これには限定されない。そこで、このような構成の一例を、本実施形態からの変更例２とし、以下、本実施形態からの変更点についてのみ、詳述する。
【０１４８】
まず、図２４は、本実施形態からの変更例２における、図１８でのステップ５７５０のサブルーチンに係る、リーチ演出中表示図柄決定処理のフローチャートである。はじめに、本実施形態からの変更点は、ステップ５７５１（変２）〜ステップ５７６１（変２）についてであり、その目的は、２ラインリーチ演出（２種類の数字でリーチとなる演出）を実行し得るよう構成することである。即ち、ステップ５７５１（変２）で、装図表示内容決定手段２２１１は、リーチ演出関連情報一時記憶手段２２５２を参照し、当該変動に係る装飾図柄の変動態様が２ラインＳＰリーチであるか否かを判定する（説明を簡略化するため、図示していないが、本実施形態における「ＳＰリーチ２」が、本実施形態からの変更例２における「２ラインＳＰリーチ」に相当するものとして説明する）。ステップ５７５１（変２）でＹｅｓの場合、ステップ５７５３（変２）で、装図表示内容決定手段２２１１は、装図表示関連情報一時記憶手段２２１２に一時記憶された、最終リーチ図柄と同じ（例えば、Ｘ）図柄を、２ラインＳＰリーチ演出における第２リーチ図柄（リーチとなる２種類の図柄の内、数字の大きい方の図柄）として決定し（自動的に、第１リーチ図柄は第２リーチ図柄の１コマ前であるＸ−１図柄に決定される）、装図表示関連情報一時記憶手段２２１２に一時記憶する。
【０１４９】
次に、ステップ５７５５（変２）で、装図表示内容決定手段２２１１は、当該決定した第２リーチ図柄の停止表示位置を、左図柄：下段、右図柄：上段、に決定する（第１リーチ図柄の停止表示位置は、左図柄：上段、右図柄：下段、となる）。
【０１５０】
次に、ステップ５７５７（変２）で、装図表示内容決定手段２２１１は、メイン側情報一時記憶手段２１１０内に記憶された主遊技図柄情報を参照し、当該変動がハズレに係る変動であるか否かを判定する。ステップ５７５７（変２）でＹｅｓの場合、ステップ５７５９（変２）で、装図表示内容決定手段２２１１は、装図表示関連情報一時記憶手段２２１２に一時記憶された、２ラインＳＰリーチ演出における第２リーチ図柄の１コマ後（例えば、Ｘ＋１）の図柄を、２ラインＳＰリーチ演出における中央停止図柄（ハズレとなる）として決定すると共に、装図表示関連情報一時記憶手段２２１２に一時記憶し、ステップ５７６２に移行する。他方、ステップ５７５７（変２）でＮｏの場合（当該変動が当りに係る変動である場合）、ステップ５７６１（変２）で、装図表示内容決定手段２２１１は、装図表示関連情報一時記憶手段２２１２に一時記憶された、２ラインＳＰリーチ演出における第２リーチ図柄と同じ（例えば、Ｘ）図柄を、２ラインＳＰリーチ演出における中央停止図柄（当りとなる）として決定すると共に、装図表示関連情報一時記憶手段２２１２に一時記憶し、ステップ５７６２に移行する。
【０１５１】
ここで、同図（リーチ中装飾図柄表示イメージ図）は、リーチ演出中に表示される装飾図柄（特に、装飾図柄の変動態様が２ラインＳＰリーチであり、ハズレとなる場合）に係るイメージ図である。まず、変動開始時、最終リーチ図柄及び当該変動中に表示（特に、停止表示、仮停止表示）する予定の装飾図柄をすべて決定する。同イメージ図では、最終リーチ図柄が「６」に決定された場合について例示している。
【０１５２】
次に、装飾図柄の左列と右列とで「４」図柄が停止表示され、ノーマルリーチ演出に移行する。その後、リーチ図柄が「４」から「５」へと変化し、ＳＰリーチ１演出に移行後、ＳＰリーチ１演出における中央図柄が、ＳＰリーチ１図柄である「５」図柄の１コマ前の図柄である「４」図柄にて停止表示（２ラインＳＰリーチ演出において再度変動するため、ここでは仮停止表示）される。
【０１５３】
次に、リーチ図柄が「４」から「５」及び「６」へと変化すると共に、中央図柄が再度変動を開始し、２ラインＳＰリーチ演出に移行する。次に、２ラインＳＰリーチ演出における第１リーチ図柄である「５」図柄での煽り演出｛中央図柄が当り図柄（このタイミングでは、「５」図柄）で停止するか否かで、遊技者に期待感を持たせる演出｝が実行される。次に、中央図柄として「５」図柄が通過し、２ラインＳＰリーチ演出における第２リーチ図柄である「６」図柄での煽り演出が実行される。その後、２ラインＳＰリーチ演出における中央図柄が、２ラインＳＰリーチ演出における第２リーチ図柄である「６」図柄の１コマ後の図柄である「７」図柄にて停止表示されることとなる（最終停止図柄）。
【０１５４】
尚、本例においては、左列の図柄は降順にて変動し、中央列・右列の図柄は昇順にて変動するよう構成したが、これには限定されず、例えば、中央列のみ図柄の並びが逆であっても、２ラインリーチ演出（２種類の数字でリーチとなる演出）を実行可能である（即ち、リーチラインの数やリーチラインの態様には何ら限定されない）。
【０１５５】
以上のように変更することで、本実施形態からの変更例２によれば、２ラインリーチ演出（２種類の数字でリーチとなる演出）を実行する際にも、主遊技図柄の変動態様及び主遊技停止図柄に基づいてリーチ演出に係る各表示図柄を一義的に決定し得るため、表示図柄を決定する際の抽選に係る処理を削減することができることとなる。
【０１５６】
また、本例では、リーチ演出に係る表示図柄の決定処理について説明したが、擬似連演出（１回の図柄変動中に、図柄が複数回の変動及び停止を繰り返す表示を行う演出）においても適用することが可能である。
【０１５７】
また、図柄の停止順について、本例においては、左列停止→右列停止→中央列停止、の順に図柄を停止表示する例を図示したが、これにはなんら限定されない。また、図柄列数・有効ライン（遊技結果を表示する図柄の並び）等の構成によって上記以外にも様々な形態が考えられる。また、本例では、主遊技図柄の変動に伴った装飾図柄の変動開始時に、当該変動における表示図柄を決定する処理について図示したが、これには限定されず、例えば、特別遊技中の演出（例えば、７７７と表示された場合、特別遊技終了後に確率変動遊技状態へと移行することが確定的に報知される演出、等）にて用いる表示内容についても、本例で示した処理を適用することによって、表示内容の抽選に係る処理を削減することができることとなる。
【０１５８】
尚、本実施形態においては、ぱちんこ遊技機についてのみ例示しているが、回胴式遊技機（いわゆるスロットマシン）に対しても適用することが可能である。ここで、周知のスロットマシンについて補足説明しておく。
【０１５９】
まず、周知のスロットマシンには、遊技の進行を司る主遊技制御部としてのメイン基板と、演出の実行を司る副遊技制御部としてのサブ基板（サブメイン基板、サブサブ基板）と、主遊技用識別情報を表示するための主遊技用識別情報表示部として、複数の識別情報が夫々外周上に配置された複数列（一般には３列）のリールと、副遊技用識別情報を表示するための副遊技用識別情報表示部と、遊技者によって操作可能であって遊技開始を指示する主遊技開始指示装置としてのスタートレバーと、遊技者によって操作可能であって遊技進行を指示する主遊技進行指示装置としてのストップボタンと、を有している。そして、メイン基板には、スタートレバーが操作されたことを契機として主遊技用乱数を取得する主遊技用乱数取得手段と、主遊技用乱数取得手段が取得した乱数に基づき一又は複数の停止識別情報を暫定的に決定する主遊技用識別情報表示内容決定手段（例えば、小役や特別遊技に係る役物等の当選役を内部的に決定する表示内容決定手段）と、主遊技用識別情報表示内容決定手段により暫定的に決定された一又は複数の停止識別情報とストップボタンの操作タイミングとに基づき、一の停止識別情報を主遊技用識別情報表示部であるリール上に確定表示するよう制御する主遊技用識別情報表示制御手段（例えば、内部的に決定された当選役とストップボタンが押圧されたタイミングとに基づき、所定の位置でリールを停止するリール制御手段）と、主遊技用識別情報表示部であるリール上にて停止識別情報として所定態様が表示された場合、特別遊技に移行させるよう制御する特別遊技実行制御手段（例えば、「７７７等」が所定の有効ライン上に並んだことを契機として、特別役物を作動させる特別役物作動手段）と、主遊技用乱数取得手段が取得した主遊技用乱数に関する情報を副遊技制御部側に送信する主遊技側情報送信制御手段と、を有している。
【０１６０】
このような周知構成のスロットマシンにおける副遊技制御部側について、本実施形態に係る構成を適用することができるのである。具体的には、スロットマシンにおいては、主遊技用情報表示部において、小役当選や特別遊技（或いは、いわゆるＡＴ状態）への移行を示唆する表示（いわゆる、フリーズ演出であり、主遊技用情報表示部において一旦識別情報が描かれたリール帯を所定位置にて停止した後、リール帯を再始動させて当該所定位置とは相違し得る位置にて停止させることが可能）や、副遊技用識別情報表示部において、小役当選や特別遊技への移行を示唆する表示（ぱちんこ遊技機における、リーチ演出にあたる）を実行可能であり、このような構成下において、本実施形態（及び変更例）によって示した構成を適用することが可能である。即ち、本実施形態の上位概念は、「識別情報表示内容決定許可条件を充足した場合には識別情報の表示内容を決定し、その後、識別情報確定表示条件を充足した場合には複数の識別情報の組み合わせを確定的に表示するよう構成された遊技機において、識別情報表示内容決定許可条件を充足した後から識別情報確定表示条件を充足するまでの期間中において、前記複数の一部又はすべての識別情報に係る変動表示と仮停止表示とを一セットとする単位変動を複数回繰り返して実行し得るよう構成されており、前記単位変動を複数回繰り返して実行することが予定されている場合には、当該予定されている複数回の単位変動における夫々の単位変動の実行時にて仮停止表示すべき識別情報すべてを予め決定するよう構成されていると共に、前記仮停止表示すべき識別情報すべてを予め決定するに際しては、ある回の単位変動における一又は複数の識別情報に係る仮停止表示内容を決定した後、当該決定した識別情報以外に係る仮停止表示内容については、当該決定した仮停止表示内容に基づき一義的に決定され得るよう構成されていることを特徴とする遊技機」となるため、ぱちんこ遊技機のみならず、スロットマシンにおいても適用可能な技術であるといえる。
【符号の説明】
【０１６１】
Ａ  主制御基板、１０００  遊技制御手段
１０１０  入球判定手段、１０１１  第１主遊技始動口入球判定手段
１０１２  第２主遊技始動口入球判定手段、１０１３  補助遊技入球口入球判定手段
１０１４  第１大入賞口入球判定手段、１０１５  第２大入賞口入球判定手段
１０２０  乱数取得判定実行手段、１０２１  第１主遊技乱数取得判定実行手段
１０２２  第２主遊技乱数取得判定実行手段、１０２３  補助遊技乱数取得判定実行手段
１０３０  保留制御手段、１０３１  保留消化制御手段
１０３１ａ  変動開始条件充足判定手段、１０３２  第１主遊技図柄保留手段
１０３２ａ  第１主遊技図柄保留情報一時記憶手段、１０３３  第２主遊技図柄保留手段
１０３３ａ  第２主遊技図柄保留情報一時記憶手段、１０３４  補助遊技図柄保留手段
１０３４ａ  補助遊技図柄保留情報一時記憶手段、１１００  遊技内容決定手段
１１１０  当否抽選手段、１１１１  第１主遊技当否抽選手段
１１１１ａ  第１主遊技用当否抽選テーブル、１１１２  第２主遊技当否抽選手段
１１１２ａ  第２主遊技用当否抽選テーブル、１１１３  補助遊技当否抽選手段
１１１３ａ  補助遊技用当否抽選テーブル、１１１４  特別遊技移行決定手段
１１３０  図柄内容決定手段、１１３１  第１主遊技図柄決定手段
１１３１ａ  第１主遊技図柄決定用抽選テーブル、１１３２  第２主遊技図柄決定手段
１１３２ａ  第２主遊技図柄決定用抽選テーブル、１１３３  補助遊技図柄決定手段
１１３３ａ  補助遊技図柄決定用抽選テーブル、１１４０  変動態様決定手段
１１４１  第１主遊技変動態様決定手段、１１４１ａ  第１主遊技変動態様決定用抽選テーブル
１１４２  第２主遊技変動態様決定手段、１１４２ａ  第２主遊技変動態様決定用抽選テーブル
１１４３  補助遊技変動態様決定手段、１１４３ａ  補助遊技変動態様決定用抽選テーブル
１２００  表示制御手段、１２０１  第１・第２主遊技図柄制御手段
１２０２  第１・第２主遊技図柄変動時間管理手段、１２０２ａ  第１・第２主遊技図柄変動管理用タイマ
１２０３  補助遊技図柄制御手段、１２０４  補助遊技図柄変動時間管理手段
１２０４ａ  補助遊技図柄変動管理用タイマ、１２１０  第２主遊技始動口電動役物開閉制御手段
１２１１  第２主遊技始動口電動役物開閉条件判定手段、１２１２  第２主遊技始動口電動役物開放タイマ
１２２０  特別遊技制御手段、１２２１  条件判定手段
１２２２  特別遊技内容決定手段、１２２２ａ  特別遊技内容参照テーブル
１２２３  特別遊技実行手段、１２２３ａ  第１・第２大入賞口電動役物開閉制御手段
１２２３ｂ  入球賞球カウンタ、１２２４  特別遊技時間管理手段
１２２４ａ  特別遊技用タイマ、１２４０  特定遊技制御手段
１２４１  特定遊技終了条件判定手段、１２４１ａ  確変回数カウンタ
１２４２  時短終了条件判定手段、１２４２ａ  時短回数カウンタ
１２５０  遊技状態一時記憶手段、１２５１  第１・第２主遊技状態一時記憶手段
１２５１ａ  第１・第２主遊技図柄情報一時記憶手段、１２５２  補助遊技状態一時記憶手段
１２５２ａ  補助遊技図柄情報一時記憶手段、１２５３  特別遊技関連情報一時記憶手段
１２５４  特定遊技関連情報一時記憶手段、１３００  情報送信制御手段
１３０１  コマンド送信用バッファ、１４００  賞球払出決定手段
１００  第１主遊技周辺機器、１１０  第１主遊技始動口
１１１  第１入球検出装置、１２０  第１主遊技図柄表示装置
１２１  第１主遊技図柄表示部、１２２  第１主遊技図柄保留表示部
２００  第２主遊技周辺機器、２１０  第２主遊技始動口
２１１  第２入球検出装置、２１２  第２主遊技電動役物
２２０  第２主遊技図柄表示装置、２２１  第２主遊技図柄表示部
２２２  第２主遊技図柄保留表示部、３００  第１・第２主遊技共用周辺機器
３１０  第１大入賞口、３１１  第１入賞検出装置
３１２  第１大入賞口電動役物、３２０  第２大入賞口、３２１  第２入賞検出装置
３２２  第２大入賞口電動役物、４００  補助遊技周辺機器
４１０  補助遊技始動口、４１１  補助遊技始動口入球検出装置
４２０  補助遊技図柄表示装置、４２１  補助遊技図柄表示部
４２２  補助遊技図柄保留表示部、
Ｂ  副制御基板、２０００  演出表示制御手段（サブメイン制御基板）
２１００  表示情報受信手段、２１１０  メイン側情報一時記憶手段
２２００  演出表示制御手段、２２１０  装飾図柄表示制御手段
２２１１  装図表示内容決定手段、２２１１ａ  装図変動内容決定用抽選テーブル
２２１２  装図関連情報一時記憶手段、２２１３  装図変動時間管理タイマ
２２２０  装図保留情報表示制御手段、２２２１  装図保留情報一時記憶手段
２２３０  背景演出表示制御手段、２２３１  背景演出表示内容決定手段
２２３２  背景演出関連情報一時記憶手段、２２４０  予告演出表示制御手段
２２４１  予告演出表示内容決定手段、２２４２  予告演出関連情報一時記憶手段
２２５０  リーチ演出表示制御手段、２２５１  リーチ演出表示内容決定手段
２２５２  リーチ演出関連情報一時記憶手段、２４００  情報送受信制御手段
２５００  演出表示手段（サブサブ制御部）、２５１０  副情報送受信制御手段
２５２０  画像表示制御手段、２５２１  画像表示関連情報一時記憶手段
２５５０  演出表示装置、２５５１  表示領域
２５５１ａ  装飾図柄表示領域、２５５１ｂ１  第１保留表示部
２５５１ｂ２  第２保留表示部
３０００  賞球払出制御基板
３２００  賞球払出装置
【図１】
2014147568.tif 000003
【図２】
2014147568.tif 000004
【図３】
2014147568.tif 000005
【図４】
2014147568.tif 000006
【図５】
2014147568.tif 000007
【図６】
2014147568.tif 000008
【図７】
2014147568.tif 000009
【図８】
2014147568.tif 000010
【図９】
2014147568.tif 000011
【図１０】
2014147568.tif 000012
【図１１】
2014147568.tif 000013
【図１２】
2014147568.tif 000014
【図１３】
2014147568.tif 000015
【図１４】
2014147568.tif 000016
【図１５】
2014147568.tif 000017
【図１６】
2014147568.tif 000018
【図１７】
2014147568.tif 000019
【図１８】
2014147568.tif 000020
【図１９】
2014147568.tif 000021
【図２０】
2014147568.tif 000022
【図２１】
2014147568.tif 000023
【図２２】
2014147568.tif 000024
【図２３】
2014147568.tif 000025
【図２４】
2014147568.tif 000026